(57)【要約】  本開示は、通信システムにおいて受信デバイスにデータを送信する送信デバイスに関する。送信デバイスは、動作中、初期送信時間間隔（ＴＴＩ）と初期ＴＴＩの後に続く１つ以上の後続ＴＴＩとを含む複数のＴＴＩに前記データを割当て、更に、初期ＴＴＩに復調用参照信号（ＤＭＲＳ）を割当て、１つ以上の後続ＴＴＩの各後続ＴＴＩについて、ＤＭＲＳが、データに加えて送信されるように、当該後続ＴＴＩに割当てられるか否かを示すＤＭＲＳ割当てを取得する回路を備える。複数のＴＴＩは、それぞれ、スロットよりも少ない数のシンボルを含み、複数のＴＴＩの各ＴＴＩに割当てられるデータは同一である。送信デバイスは、動作中、スロット内で、データを送信するとともに、ＤＭＲＳ割当てに従ってＤＭＲＳを送信する送受信機を更に備える。
2021533590.tif 000002
【特許請求の範囲】
【請求項１】
通信システムにおいて受信デバイスにデータを送信する送信デバイスであって、
動作中、初期送信時間間隔（ＴＴＩ）と前記初期ＴＴＩの後に続く１つ以上の後続ＴＴＩとを含む複数のＴＴＩに前記データを割当て、更に、前記初期ＴＴＩに復調用参照信号（ＤＭＲＳ）を割当て、前記１つ以上の後続ＴＴＩの各後続ＴＴＩについて、ＤＭＲＳが、前記データに加えて送信されるように、当該後続ＴＴＩに割当てられるか否かを示すＤＭＲＳ割当てを取得する回路であって、前記複数のＴＴＩは、それぞれ、スロットよりも少ない数のシンボルを含み、前記複数のＴＴＩの各ＴＴＩに割当てられる前記データは同一である、回路と、
動作中、前記スロット内で、前記初期ＴＴＩに割当てられた前記データ及び前記ＤＭＲＳと前記１つ以上の後続ＴＴＩに割当てられた前記データとを前記受信デバイスに送信する送受信機であって、前記１つ以上の後続ＴＴＩにおけるＤＭＲＳ送信は、前記ＤＭＲＳ割当てに従って実行される、送受信機と、
を備える送信デバイス。
【請求項２】
ＤＭＲＳは、前記１つ以上の後続ＴＴＩのうちの少なくとも１つの後続ＴＴＩにおいて送信されない、
請求項１に記載の送信デバイス。
【請求項３】
前記ＤＭＲＳ割当ては、ＤＭＲＳが当該後続ＴＴＩに割当てられない場合、当該後続ＴＴＩの長さが、該ＤＭＲＳに対応する１シンボル分だけ低減されることを更に示す、
請求項１又は２に記載の送信デバイス。
【請求項４】
前記ＤＭＲＳ割当ては、ＤＭＲＳが当該後続ＴＴＩに割当てられない場合、当該後続ＴＴＩにおける該ＤＭＲＳの割当てのためのシンボルが、前記データの割当てのためのシンボルで置換されることを更に示す、
請求項１又は２に記載の送信デバイス。
【請求項５】
前記ＤＭＲＳ割当ては、ＤＭＲＳが当該後続ＴＴＩに割当てられない場合、当該後続ＴＴＩの長さが、該ＤＭＲＳに対応する１シンボル分だけ低減されること、又は、当該後続ＴＴＩにおける該ＤＭＲＳの割当てのためのシンボルが、前記データの割当てのためのシンボルで置換されること、のいずれかを更に示す、
請求項１又は２に記載の送信デバイス。
【請求項６】
当該後続ＴＴＩにおける該ＤＭＲＳの割当てのためのシンボルが、前記データの割当てのためのシンボルで置換される場合、前記データは、当該後続ＴＴＩにおいて、前記初期ＴＴＩにおいて前記データが送信される符号レートよりも低い符号レートで、送信される、
請求項４又は５に記載の送信デバイス。
【請求項７】
前記送信デバイスは、アップリンク上で前記受信デバイスに前記データを送信し、
前記送受信機は、動作中、更に、前記受信デバイスから、前記１つ以上の後続ＴＴＩの各後続ＴＴＩについて、前記ＤＭＲＳ割当てを示すＤＭＲＳ割当てインジケータを含む制御シグナリングを受信し、
前記回路は、動作中、前記制御シグナリングを評価することによって、前記１つ以上の後続ＴＴＩの各後続ＴＴＩについての前記ＤＭＲＳ割当てを取得する、
請求項１乃至６のうちのいずれか１項に記載の送信デバイス。
【請求項８】
各後続ＴＴＩについての前記ＤＭＲＳ割当てインジケータは、２ビット割当てインジケータである、
請求項７に記載の送信デバイス。
【請求項９】
前記ＤＭＲＳ割当てインジケータは、上位レイヤシグナリングに含まれる、
請求項７又は８に記載の送信デバイス。
【請求項１０】
前記制御シグナリングは、ＤＭＲＳが前記１つ以上の後続ＴＴＩのうちのいずれにも割当てられないかどうかを示す有効化インジケータを更に含む、
請求項７乃至９のうちのいずれか１項に記載の送信デバイス。
【請求項１１】
前記有効化インジケータは、上位レイヤシグナリングに含まれる、
請求項１０に記載の送信デバイス。
【請求項１２】
前記有効化インジケータは、ダウンリンクチャネル情報（ＤＣＩ）に含まれる１ビットインジケータである、
請求項１０に記載の送信デバイス。
【請求項１３】
通信システムにおいて送信デバイスからデータを受信する受信デバイスであって、
動作中、初期送信時間間隔（ＴＴＩ）の後に続く１つ以上の後続ＴＴＩの各後続ＴＴＩについて、復調用参照信号（ＤＭＲＳ）が、前記データに加えて受信されるように、当該後続ＴＴＩに割当てられるか否かを示すＤＭＲＳ割当てを取得する回路であって、前記初期ＴＴＩ及び前記１つ以上の後続ＴＴＩを含む複数のＴＴＩは、それぞれ、スロットよりも少ない数のシンボルを含み、ＤＭＲＳが前記初期ＴＴＩに割当てられ、前記複数のＴＴＩの各ＴＴＩに割当てられる前記データは同一である、回路と、
動作中、前記送信デバイスから、前記スロット内で、前記初期ＴＴＩに割当てられた前記データ及び前記ＤＭＲＳと前記１つ以上の後続ＴＴＩに割当てられた前記データとを受信する送受信機であって、前記１つ以上の後続ＴＴＩにおけるＤＭＲＳ受信は、前記ＤＭＲＳ割当てに従って実行される、送受信機と、
を備える受信デバイス。
【請求項１４】
通信システムにおいて受信デバイスにデータを送信する送信デバイスについての送信方法であって、
初期送信時間間隔（ＴＴＩ）の後に続く１つ以上の後続ＴＴＩの各後続ＴＴＩについて、復調用参照信号（ＤＭＲＳ）が、前記データに加えて送信されるように、当該後続ＴＴＩに割当てられるか否かを示すＤＭＲＳ割当てを取得することであって、前記初期ＴＴＩ及び前記１つ以上の後続ＴＴＩを含む複数のＴＴＩは、それぞれ、スロットよりも少ない数のシンボルを含む、取得することと、
前記複数のＴＴＩの各ＴＴＩに同一の前記データを割当て、前記初期ＴＴＩにＤＭＲＳを割当てることと、
前記スロット内で、前記初期ＴＴＩに割当てられた前記データ及び前記ＤＭＲＳと前記１つ以上の後続ＴＴＩに割当てられた前記データとを前記受信デバイスに送信することであって、前記１つ以上の後続ＴＴＩにおけるＤＭＲＳ送信は、前記ＤＭＲＳ割当てに従って実行される、送信することと、
を含む送信方法。
【請求項１５】
通信システムにおいて送信デバイスからデータを受信する受信デバイスについての受信方法であって、
初期送信時間間隔（ＴＴＩ）の後に続く１つ以上の後続ＴＴＩの各後続ＴＴＩについて、復調用参照信号（ＤＭＲＳ）が、前記データに加えて受信されるように、当該後続ＴＴＩに割当てられるか否かを示すＤＭＲＳ割当てを取得することであって、前記初期ＴＴＩ及び前記１つ以上の後続ＴＴＩを含む複数のＴＴＩは、それぞれ、スロットよりも少ない数のシンボルを含み、ＤＭＲＳが前記初期ＴＴＩに割当てられ、前記複数のＴＴＩの各ＴＴＩに割当てられる前記データは同一である、取得することと、
前記送信デバイスから、前記スロット内で、前記初期ＴＴＩに割当てられた前記データ及び前記ＤＭＲＳと前記１つ以上の後続ＴＴＩに割当てられた前記データとを受信することであって、前記１つ以上の後続ＴＴＩにおけるＤＭＲＳ受信は、前記ＤＭＲＳ割当てに従って実行される、受信することと、
を含む受信方法。
【発明の詳細な説明】
【技術分野】
【０００１】
本開示は、３ＧＰＰ(第３世代パートナーシッププロジェクト）通信システム等の通信システムにおける送受信、デバイス、及び方法に関する。
【背景技術】
【０００２】
最近、第３世代パートナーシッププロジェクト（３ＧＰＰ：the 3rd Generation Partnership Project）は、第５世代（５Ｇ）とも称される次世代セルラー技術についての技術仕様の最初のリリース（リリース１５）を完了した。３ＧＰＰの技術仕様グループ（ＴＳＧ：Technical Specification Group）の無線アクセスネットワーク（ＲＡＮ：Radio Access network）会合＃７１（２０１６年３月、Gothenburg）において、５Ｇの最初の標準規格を定義するリリース１５の可能性のある作業項目として、ＲＡＮ１、ＲＡＮ２、ＲＡＮ３、及びＲＡＮ４が関与する、５Ｇの最初の検討項目「Study on New Radio Access Technology」が承認された。検討項目の目的は、最大１００ＧＨｚまでの周波数帯域で動作し、広範なユースケースをサポートする、ＲＡＮ要件検討中に規定された「新（しい）無線（ＮＲ：New Radio）」アクセス技術を開発することである（例えば、３ＧＰＰ  ＴＲ  ３８．９１３「Study on Scenarios and Requirements for Next Generation Access Technologies」、www.3gpp.orgにて入手可能である現バージョン１４．３．０を参照されたい）。
【０００３】
国際電気通信連合によるＩＭＴ−１０１０(International Mobile Telecommunications-2020）仕様は、次世代のモバイル通信についての３つの主要なシナリオである、高度モバイルブロードバンド（ｅＭＢＢ：enhanced Mobile Broadband）、大規模マシンタイプ通信（ｍＭＴＣ：massive Machine-type Communications）、及び超高信頼・低遅延通信（ＵＲＬＬＣ：Ultra-Reliable and Low-Latency Communications）を広く分類した。最近完了した３ＧＰＰリリース１５では、主な焦点は、ｅＭＢＢについての仕様及びＵＲＬＬＣについての初期サポートを標準化することであった。例えば、ｅＭＢＢの配置シナリオには、屋内のホットスポット、密集都市部、郊外、都市部、及び高速が含まれ得る。ＵＲＬＬＣの配置シナリオには、産業制御システム、モバイル健康管理（遠隔モニタリング、診断、及び治療）、車両のリアルタイム制御、スマートグリッドの広域監視・制御システムが含まれ得る。ｍＭＴＣには、スマートウェアラブルやセンサネットワーク等、遅延の影響が小さいデータ伝送による多数の装置を使用するシナリオが含まれ得る。
【０００４】
リリース１５において、信頼性に関するＵＲＬＬＣのスコープは、１Ｅ−１という目標ＢＬＥＲについてのすでに合意されているテーブルに加えて、１Ｅ−５という目標ＢＬＥＲについての新しいＣＱＩ（チャネル品質指標）及びＭＣＳ（変調・符号化方式）テーブル設計の仕様を含む。ＵＲＬＬＣの場合、グラントベース送信について、新しいＲＮＴＩ(無線ネットワーク一時識別子）を設定するために、１つの新しいＲＲＣパラメータが導入される。新しいＲＮＴＩが設定されない場合、既存のＲＲＣパラメータ「ｍｃｓ−ｔａｂｌｅ」が、３つのＭＣＳテーブル（既存の６４ＱＡＭ  ＭＣＳテーブル、既存の２５６ＱＡＭ  ＭＣＳテーブル、新しい６４ＱＡＭ  ＭＣＳテーブル）から選択するように拡張される。ｍｃｓ−ｔａｂｌｅが、新しい６４ＱＡＭ  ＭＣＳテーブルを示す場合、ＣＳＳ(共通サーチスペース）におけるＤＣＩフォーマット０＿０／１＿０については、既存の６４ＱＡＭ  ＭＣＳテーブルが使用され、ＵＳＳ(ユーザサーチスペース）におけるＤＣＩフォーマット０＿０／１＿０／０＿１／１＿１については、新しい６４ＱＡＭ  ＭＣＳテーブルが使用される。そうでない場合、既存の動作に従う。（ＲＲＣ（無線リソース制御）を介する）新しいＲＮＴＩが設定される場合、ＤＣＩ  ＣＲＣのＲＮＴＩスクランブリングが、ＭＣＳテーブルを選択するために用いられる。ＤＣＩ  ＣＲＣが新しいＲＮＴＩでスクランブルされる場合、新しい６４ＱＡＭ  ＭＣＳテーブルが使用される。そうでない場合、既存の動作に従う。ＤＬ(ダウンリンク)及びＵＬ(アップリンク）についての上記の設定は別々である。
【０００５】
リリース１５におけるＵＲＬＬＣの信頼性のスコープはかなり限られていた。したがって、ＲＡＮ＃８０では、ＮＲ  ＵＲＬＬＣについての物理レイヤ強化に関する新しい検討項目が承認された（ＲＰ−１８１４７７「New SID on Physical Layer Enhancements for NR URLLC」、Huawei、HiSilicon、Nokia、Nokia Shanghai Bellを参照されたい）。リリース１５では、ＵＲＬＬＣについての基本サポートが導入された。ＮＲ  ＵＲＬＬＣ  Ｒｅｌ．１６に関しては、ファクトリーオートメーション、運輸産業、及び配電等、より厳しい要件を有する更なるユースケースが特定されている。
【発明の概要】
【０００６】
非限定的かつ例示的な一実施形態は、データチャネルの繰り返し中のフレキシブルな復調用参照信号設定を提供することを容易にする。
【０００７】
概括的な一態様において、ここに開示されている技術は、通信システムにおいて受信デバイスにデータを送信する送信デバイスを特徴とする。送信デバイスは、動作中、初期送信時間間隔（ＴＴＩ）と初期ＴＴＩの後に続く１つ以上の後続ＴＴＩとを含む複数のＴＴＩにデータを割当て、更に、初期ＴＴＩに復調用参照信号（ＤＭＲＳ）を割当て、１つ以上の後続ＴＴＩの各後続ＴＴＩについて、ＤＭＲＳが、データに加えて送信されるように、当該後続ＴＴＩに割当てられるか否かを示すＤＭＲＳ割当てを取得する回路を備える。複数のＴＴＩは、それぞれ、スロットよりも少ない数のシンボルを含み、複数のＴＴＩの各ＴＴＩに割当てられるデータは同一である。送信デバイスは、動作中、スロット内で、初期ＴＴＩに割当てられたデータ及びＤＭＲＳと１つ以上の後続ＴＴＩに割当てられたデータとを受信デバイスに送信する送受信機を更に備える。１つ以上の後続ＴＴＩにおけるＤＭＲＳ送信は、ＤＭＲＳ割当てに従って実行される。
【０００８】
なお、一般的な実施形態又は特定の実施形態は、システム、方法、集積回路、コンピュータプログラム、記憶媒体、又はこれらの任意の選択的な組み合わせとして、実現可能であることに留意されたい。
【０００９】
開示されている実施形態の更なる恩恵及び利点は、本明細書及び図面から明らかになるであろう。これらの恩恵及び／又は利点は、本明細書及び図面の様々な実施形態及び特徴によって個別に得られることが可能である。ただし、このような恩恵及び／又は利点のうちの１つ以上を得るために、これらの特徴全てを設ける必要はない。
【図面の簡単な説明】
【００１０】
【図１】３ＧＰＰ  ＮＲシステムについての例示的なアーキテクチャの概略図。
【図２】ＬＴＥ  ｅＮＢ、ＮＲ  ｇＮＢ、及びＵＥについての例示的なユーザ及び制御プレーンアーキテクチャのブロック図。
【図３】大規模マシンタイプ通信（ｍＭＴＣ）及び超高信頼・低遅延通信（ＵＲＬＬＣ）の利用シナリオを示す概略図。
【図４】２シンボルＰＵＳＣＨ（物理アップリンク共有チャネル）のスロット間繰り返しの一例の図。
【図５】同じスロット内の４シンボルＰＵＳＣＨの繰り返しの一例の図。
【図６】１つの追加のＤＭＲＳ(復調用参照信号）を含む８シンボルＰＵＳＣＨの一例の図。
【図７】周波数ホッピングを伴う繰り返しを示す図。
【図８】ビームホッピングを伴う繰り返しを示す図。
【図９】設定されたグラントにおける測定リソース上での繰り返しの一例を示す図。
【図１０】１つのスロット内の６回の繰り返しによる２シンボルＰＵＳＣＨ送信の一例を示す図。
【図１１】送信デバイス及び受信デバイスのブロック図。
【図１２】送信デバイスの回路のブロック図。
【図１３】送信方法及び受信方法のフローチャート。
【図１４】１つのスロット内の特定の繰り返しからのＤＭＲＳシンボルの除去の一例を示す図。
【図１５】１つのスロット内の特定の繰り返しにおけるデータシンボルでのＤＭＲＳシンボルの置換の一例を示す図。
【図１６】１つのスロット内のＤＭＲＳシンボルの除去と置換との組み合わせの一例を示す図。
【図１７】アップリンク送信方法及びアップリンク受信方法のフローチャート。
【図１８】ＤＭＲＳ割当ての例示的な制御シグナリングを示すグラフ。
【図１９】周波数ホッピングを伴う繰り返しの一例を示す図。
【図２０】ビームホッピングを伴う繰り返しの一例を示す図。
【図２１】設定されたグラントにおける測定リソース上での繰り返しの一例を示す図。
【発明を実施するための形態】
【００１１】
背景技術のセクションで提示されているように、３ＧＰＰは、最大１００ＧＨｚまでの範囲の周波数で動作する新無線（ＮＲ）アクセス技術の開発を含め、単に５Ｇと称される第５世代セルラー技術についての次のリリースに取り組んでいる。３ＧＰＰは、緊急の市場ニーズ及びより長期的な要件の両方を適時に満たすＮＲシステムを成功裏に標準化するために必要とされる技術コンポーネントを特定して開発しなければならない。これを達成するために、無線インタフェース及び無線ネットワークアーキテクチャの発展が、検討項目「New Radio Access Technology」において考慮されている。結果及び合意事項が、参照によりその全体が本明細書に組み込まれる技術報告書ＴＲ  ３８．８０４  ｖ１４．０．０に収集されている。
【００１２】
とりわけ、システムアーキテクチャ全般に関する暫定的な合意事項が存在している。ＮＧ−ＲＡＮ（次世代−無線アクセスネットワーク）は、ｇＮＢを含み、これは、ＮＧ−無線アクセスユーザプレーン、ＳＤＡＰ/ＰＤＣＰ/ＲＬＣ/ＭＡＣ/ＰＨＹ(サービスデータ適応プロトコル／パケットデータコンバージェンスプロトコル／無線リンク制御／媒体アクセス制御／物理）、及び制御プレーン、ＵＥに向かうＲＲＣ（無線リソース制御）プロトコル終端を提供する。ＮＧ−ＲＡＮアーキテクチャは、参照により本明細書に組み込まれるＴＳ  ３８．３００  ｖ．１５．０．０、セクション４に基づいて図１に示されている。ｇＮＢは、Ｘｎインタフェースによって、互いに相互接続される。ｇＮＢはまた、次世代（ＮＧ）インタフェースによって、ＮＧＣ(次世代コア）に、より具体的には、ＮＧ−Ｃインタフェースによって、ＡＭＦ(アクセス及びモビリティ管理機能）（例えば、ＡＭＦを実行する特定のコアエンティティ）に、ＮＧ−Ｕインタフェースによって、ＵＰＦ(ユーザプレーン機能）（例えば、ＵＰＦを実行する特定のコアエンティティ）に、接続される。
【００１３】
例えば、３ＧＰＰ  ＴＲ  ３８．８０１  ｖ１４．０．０「Study on new radio access technology: Radio access architecture and interfaces」に反映されているように、様々な異なる配備シナリオが、サポートされるために現在議論されている。例えば、非集中配備シナリオ（ＴＲ  ３８．８０１のセクション５．２；集中配備はセクション５．４に示されている；これは参照により本明細書に組み込まれる）がそこに提示されており、そこでは、５Ｇ  ＮＲをサポートする基地局を配備することができる。図２は、例示的な非集中配備シナリオを示しており、前述のＴＲ  ３８．８０１の図５．２．−１に基づきつつ、ｇＮＢ及びＬＴＥ  ｅＮＢの両方に接続されるユーザ機器（ＵＥ）とＬＴＥ  ｅＮＢとを追加的に示している。前述したように、ＮＲ  ５Ｇのための新しいｅＮＢは、ｇＮＢと例示的に称されることがある。
【００１４】
また、上述したように、第３世代パートナーシッププロジェクト新無線（３ＧＰＰ  ＮＲ）では、ＩＭＴ−２０２０によって多種多様なサービス及びアプリケーションをサポートすることが想定されている３つのユースケースが考慮されている（勧告ＩＴＵ−Ｒ  Ｍ．２０８３：ＩＭＴビジョン−「Framework and overall objectives of the future development of IMT for 2020 and beyond」、２０１５年９月を参照されたい）。高度モバイルブロードバンド（ｅＭＢＢ）のフェーズ１についての仕様は、２０１７年１２月に３ＧＰＰによって確定された。ｅＭＢＢサポートを更に拡張することに加えて、現在の作業及び将来の作業は、超高信頼・低遅延通信（ＵＲＬＬＣ）及び大規模マシンタイプ通信についての標準化を伴うであろう。（勧告ＩＴＵ−Ｒ  Ｍ．２０８３からの）図３は、２０２０年以降のＩＭＴの想定される利用シナリオのいくつかの例を示している。
【００１５】
ＵＲＬＬＣのユースケースは、スループット、遅延、及びアベイラビリティ等の能力に対する厳しい要件を有し、産業製造又は生産プロセスの無線制御、遠隔外科手術、スマートグリッドにおける配電自動化、輸送安全性等といった将来の垂直応用のためのイネーブラのうちの１つとして想定されている。現在のＷＩＤ（作業項目記述）  ＲＰ−１７２１１５では、ＴＲ  ３８．９１３によって設定された要件を満たす技術を特定することによって、ＵＲＬＬＣについての超高信頼性をサポートすることが合意されている。
【００１６】
リリース１５におけるＮＲ  ＵＲＬＬＣについて、キーとなる要件は、ＵＬ(アップリンク）については０．５ｍｓ、ＤＬ(ダウンリンク）については０．５ｍｓという目標ユーザプレーン遅延を含む。パケットの１回の伝送に求められる一般的なＵＲＬＬＣ要件は、１ｍｓのユーザプレーンで３２バイトのパケットサイズに対するＢＬＥＲ(ブロック誤り率）１Ｅ−５である。ＲＡＮ１の観点から、複数の可能な方法で信頼性を改善することができる。信頼性を改善するための現在のスコープは、ＵＲＬＬＣについての別々のＣＱＩテーブルの定義、よりコンパクトなＤＣＩフォーマット、ＰＤＣＣＨの繰り返し等を含むＲＰ−１７２８１７に取り込まれている。しかしながら、ＮＲがより安定して発展することにつれて、スコープは、超高信頼性を達成するために広くなる可能性がある（ＮＲ  ＵＲＬＬＣのキーとなる要件については、参照により本明細書に組み込まれる３ＧＰＰ  ＴＲ  ３８．９１３  Ｖ１５．０．０「Study on Scenarios and Requirements for Next Generation Access Technologies」も参照されたい）。したがって、リリース１５におけるＮＲ  ＵＲＬＬＣは、１Ｅ−５というＢＬＥＲに対応する成功率で、１ｍｓというユーザプレーン遅延内で３２バイトのデータパケットを送信することができる必要がある。Ｒｅｌ．１５におけるＮＲ  ＵＲＬＬＣの特定のユースケースは、拡張現実／仮想現実（ＡＲ／ＶＲ）、ｅ−ｈｅａｌｔｈ、ｅ−ｓａｆｅｔｙ、及びミッションクリティカルなアプリケーションを含む(ＩＴＵ−Ｒ  Ｍ．２０８３−０も参照されたい）。
【００１７】
更に、リリース１５におけるＮＲ  ＵＲＬＬＣによってターゲットにされる技術拡張は、遅延改善及び信頼性改善を目指している。遅延改善のための技術拡張は、設定可能なニューメロロジー、フレキシブルなマッピングを伴う非スロットベーススケジューリング、グラントフリー（設定されたグラント）アップリンク、データチャネルについてのスロットレベルの繰り返し、及びダウンリンクプリエンプションを含む。プリエンプションは、リソースがすでに割当てられている送信が停止され、すでに割当てられているリソースが、後で要求されているがより低い遅延要件／より高い優先順位要件を有する別の送信に使用されることを意味する。したがって、すでに許可されている送信は、後の送信によってプリエンプトされる。プリエンプションは、特定のサービスタイプとは無関係に適用可能である。例えば、サービスタイプＡ(ＵＲＬＬＣ)についての送信は、サービスタイプＢ（ｅＭＢＢ等）についての送信によってプリエンプトされ得る。信頼性改善に関する技術拡張は、１Ｅ−５という目標ＢＬＥＲのための専用ＣＱＩ／ＭＣＳテーブルを含む（このような技術拡張については、参照により次の全てが本明細書に組み込まれる、３ＧＰＰ  ＴＳ  ３８．２１１「NR; Physical channels and modulation」、ＴＳ  ３８．２１２「NR; Multiplexing and channel coding」、ＴＳ  ３８．２１３「NR; Physical layer procedures for control」、及び、ＴＳ  ３８．２１４「NR; Physical layer procedures for data」（それぞれのバージョンＶ１５．２．０）も参照されたい）。
【００１８】
ｍＭＴＣのユースケースは、比較的少量の非遅延センシティブデータを通常送信する非常に多数の接続されているデバイスによって特徴付けられる。デバイスは、安価であり、非常に長いバッテリ寿命を有することが要求される。ＮＲの観点から、非常に狭い帯域幅部分を利用することは、ＵＥの観点から省電力であり、長いバッテリ寿命を可能にするための１つの可能なソリューションである。
【００１９】
上述したように、ＮＲにおける信頼性のスコープがより広くなることが予想される。ＵＲＬＬＣ及びｍＭＴＣに特に必要である全てのケースに対するキーとなる１つの要件は、高信頼性又は超高信頼性である。無線の観点及びネットワークの観点から信頼性を改善するために、いくつかのメカニズムが考えられ得る。信頼性を改善するのに役立つことができる可能性のあるキーとなる領域は少ししかない。これらの領域の中には、コンパクトな制御チャネル情報と、データ／制御チャネル繰り返しと、周波数領域、時間領域、及び／又は空間領域に関するダイバーシチと、がある。これらの領域は、特定の通信シナリオにかかわらず、一般に、信頼性に適用可能である。
【００２０】
ＮＲ  ＵＲＬＬＣ  Ｒｅｌ．１６については、ファクトリーオートメーション、運輸産業、及び配電等、より厳しい要件を有する更なるユースケースが特定されている（参照により本明細書に組み込まれるＲＰ−１８１４７７「New SID on Physical Layer Enhancements for NR URLLC」、Huawei、HiSilicon、Nokia、Nokia Shanghai Bellを参照されたい）。これらのより厳しい要件は、ユースケースに応じた、より高い信頼性（最大で１０−６レベル）、より高いアベイラビリティ、最大で２５６バイトのパケットサイズ、数μｓのオーダーまでの時間同期（その値は、周波数範囲に応じて、１μｓ又は数μｓであり得る）、及び、０．５〜１ｍｓのオーダーの短い遅延（特に、０．５ｍｓという目標ユーザプレーン遅延）である（参照により本明細書に組み込まれる３ＧＰＰ  ＴＳ  ２２．２６１「Service requirements for next generation new services and markets」Ｖ１６．４．０及びＲＰ−１８１４７７も参照されたい）。
【００２１】
更に、Ｒｅｌ．１６におけるＮＲ  ＵＲＬＬＣについては、ＲＡＮ１の観点からのいくつかの技術拡張が特定されている。これらの中には、コンパクトなＤＣＩ、ＰＤＣＣＨ（物理ダウンリンク制御チャネル）繰り返し、ＰＤＣＣＨ監視の増大に関連するＰＤＣＣＨ拡張がある。更に、ＵＣＩ(アップリンク制御情報）拡張は、拡張ＨＡＲＱ(ハイブリッド自動再送要求）及びＣＳＩフィードバック拡張に関連する。また、ミニスロットレベルのホッピングに関連するＰＵＳＣＨ拡張及び再送／繰り返し拡張が特定されている。用語「ミニスロット」は、スロット（１４シンボルを含むスロット）よりも少ない数のシンボルを含む送信時間間隔(ＴＴＩ：Transmission Time Interval)を指す。
【００２２】
一般に、ＴＴＩは、スケジューリング割当てのためのタイミング粒度を定める。１ＴＴＩは、所与の信号が物理レイヤにマッピングされる時間間隔である。従来、ＴＴＩ長は、１４シンボル（スロットベーススケジューリング）から２シンボル（非スロットベーススケジューリング）まで変わり得る。ダウンリンク送信及びアップリンク送信は、１０個のサブフレーム（１ｍｓの持続時間）からなるフレーム（１０ｍｓの持続時間）に編成されるように指定される。スロットベース送信では、サブフレームが、スロットに分割される。スロットの数は、ニューメロロジー／サブキャリア間隔によって規定され、指定される値は、１５ｋＨｚというサブキャリア間隔についての１０スロットと２４０ｋＨｚというサブキャリア間隔についての３２０スロットとの間の範囲にある。１スロットあたりのＯＦＤＭシンボルの数は、通常のサイクリックプレフィックスについては１４であり、拡張サイクリックプレフィックスについては１２である（参照により本明細書に組み込まれる３ＧＰＰ  ＴＳ  ３８．２１１  Ｖ１５．０．０（２０１７−１２）のセクション４．１（general frame structure）、４．２（Numerologies）、４．３．１（frames and subframes）、及び、４．３．２（slots）を参照されたい）。しかしながら、送信に対する時間リソースの割当ては、非スロットベースであることもある。特に、非スロットベース割当てにおけるＴＴＩは、スロットではなく、ミニスロットに対応することがある。すなわち、１つ以上のミニスロットが、データ／制御シグナリングの要求された送信に割当てられることがある。非スロットベース割当てでは、ＴＴＩの最小の長さは、従来では２ＯＦＤＭシンボルであり得る。
【００２３】
他の特定されている拡張は、スケジューリング／ＨＡＲＱ／ＣＳＩ処理タイムラインとＵＬのＵＥ間Ｔｘ優先順位付け／多重化とに関連する。改善された設定されたグラント動作にフォーカスしたＵＬの設定されたグラント（グラントフリー）送信、明示的なＨＡＲＱ−ＡＣＫ等の例示的な方法、Ｋ回の繰り返し及びスロット内のミニスロット繰り返しを保証すること、及び、他のＭＩＭＯ(複数入力複数出力）関連拡張が、更に特定されている（３ＧＰＰ  ＴＳ  ２２．２６１  Ｖ１６．４．０も参照されたい）。
【００２４】
本開示は、信頼性／遅延を更に改善するための、また、（ＲＰ−１８１４７７「New SID on Physical Layer Enhancements for NR URLLC」、Huawei、HiSilicon、Nokia、Nokia Shanghai Bell)において特定されているユースケースに関連する他の要件のための、潜在的なレイヤ１拡張に関連する。具体的には、ＰＵＳＣＨ（物理アップリンク共有チャネル）繰り返しについての拡張が論じられる。本開示における提案アイディアの影響は、Ｒｅｌ．１６におけるＮＲ  ＵＲＬＬＣに関する新しいＳＩ(検討項目）／ＷＩ（作業項目）の主な範囲内にあるＰＵＳＣＨ繰り返し拡張に及ぼされることが予想される。
【００２５】
（ＰＵＳＣＨ繰り返し）
潜在的な拡張のためのスコープのうちの１つは、スロット内のＰＵＳＣＨのミニスロット繰り返しに関連する。以下では、ＮＲ  ＵＲＬＬＣの新しい要件を満たすように信頼性及び／又は遅延を更に改善するために、繰り返しメカニズムに対する潜在的な拡張を可能にし得る、スロット内のＰＵＳＣＨの繰り返しをサポートするための動機付けが提供される。
【００２６】
ＵＲＬＬＣ  ＰＵＳＣＨ送信に対する遅延要件を達成するために、信頼性要件が満たされるならば、ワンショット（one-shot）送信（すなわち、単一（ＴＴＩ）割当て）が理想的である。しかしながら、１Ｅ−５という目標ＢＬＥＲは、ワンショット送信で必ずしも達成されるとは限らない。したがって、再送又は繰り返しメカニズムが必要とされる。ＮＲ  Ｒｅｌ．１５では、ワンショット送信では十分でない場合、目標ＢＬＥＲを達成するために、再送及び繰り返しの両方がサポートされている。ＨＡＲＱベースの再送では、フィードバック情報を使用し、チャネル状態に応じて後続の再送を改善することによって、全体的な信頼性を改善することがよく知られている。しかしながら、再送は、フィードバック処理タイムラインに起因する追加の遅延を被る。したがって、繰り返しは、フィードバックを待たずに同一のデータパケットの後続の送信を行うので、遅延耐性が高いサービスに有用である。
【００２７】
ＰＵＳＣＨ繰り返しは、「同一のアップリンクデータパケットを、同一のデータパケットの１回以上の以前の送信のフィードバックを待たずに、複数回送信すること」と定義することができる。ＰＵＳＣＨ繰り返しの利点は、フィードバックが必要とされないので、ＨＡＲＱと比較して、全体的な信頼性が改善され、遅延が低減することである。しかしながら、一般に、リンク適応が可能でなく、リソース使用が非効率である可能性がある。
【００２８】
ＮＲ  Ｒｅｌ．１５では、繰り返しについての限られたサポートが導入されている。繰り返しの準静的設定のみが許容されている。更に、繰り返しは、図４に示されているように、スロット間でのみ許容されている（スロットレベルのＰＵＳＣＨ繰り返し）。すなわち、繰り返しは、前の送信のスロットに続くスロットにおいてのみ可能である。ニューメロロジー及びサービスタイプ（例えば、ＵＲＬＬＣ、ｅＭＢＢ）に応じて、繰り返し間の遅延は、スロット間繰り返しの場合、長すぎる可能性がある。このようなタイプの繰り返しは、ＰＵＳＣＨ送信がスロットの始めからのみ開始することを許容するＰＵＳＣＨマッピングタイプＡに主に有用である。そのような限られたサポートは、ＮＲ  Ｒｅｌ．１５におけるより厳しい遅延要件、すなわち、最大で０．５ｍｓの遅延を達成することができない可能性がある。したがって、スロット内のＰＵＳＣＨの繰り返しが、Ｒｅｌ．１６におけるＮＲ  ＵＲＬＬＣについて考慮されている。
【００２９】
同じスロット内の繰り返しは、所与の送信のスケジューリングを許容するＰＵＳＣＨマッピングタイプＢに対してサポートされ得る（又は、ＰＵＳＣＨマッピングタイプＡにおけるスロットの始めのみとは対照的に、スロットの任意のシンボルからの繰り返し）。例えば、２回の繰り返しが、図５に示されているように、スロット内で隣接してスケジュールされ得る。このことは、スロット間繰り返しと比較して、繰り返し間の更に低い遅延をもたらす。この図では、単一の送信は、１ＤＭＲＳシンボル及び３データシンボルとからなり、その後に全く同じ繰り返しが続く。
【００３０】
しかしながら、繰り返しのない単一の送信によってでも、全く同じ構成が実現されることが示され得る。基本的に、初期送信の長さはより長く、追加のＤＭＲＳシンボルが設定される。このことは、ＮＲ  Ｒｅｌ．１５においてサポートされており、図６に示されているように、追加のＤＭＲＳが、スロットの５番目のシンボルに割当てられる。図６に示されている例では、単一の送信は、１つの前端ＤＭＲＳ＋１つの追加のＤＭＲＳ設定、及び、繰り返しの場合と実質的に同じである６データシンボルからなる。
【００３１】
よって、同じスロット内の繰り返しをサポートすることは、より長いＴＴＩ(送信時間間隔）長を有する単一の送信によって実現され得るのと同じ機能を提供するものとみなされ得る。したがって、スロット内のＰＵＳＣＨの繰り返しをサポートして指定するために、ＰＵＳＣＨ送信についての既存のサポートによっては実現できない更なるフレキシビリティ及び利点を有するより良い機能が、実現されるべきである。
【００３２】
よって、単一の割当てによっては実現できない更なるフレキシビリティ及び利点を実現するために、スロット内のミニスロット繰り返しを改善することが望ましい。したがって、ＰＵＳＣＨマッピングタイプＢについて、ＰＵＳＣＨ送信についての既存のサポートと比較して、更なるフレキシビリティ及び利点を有する追加の機能が実現される場合にのみ、同じスロット内のＰＵＳＣＨの繰り返しがサポートされるべきであることが、本開示の提案である。
【００３３】
そのようなスロット内の繰り返しは、単一の割当てと同様の機能を提供するように思われる。しかしながら、これが他の既存の物理レイヤ技術と組み合わされる場合、より良い利点とともに更なるフレキシビリティが実現され得る。以下では、スロット内の繰り返しがサポートされる場合にのみ実現され得るいくつかの可能なユースケースが説明される。
【００３４】
ＰＵＳＣＨマッピングタイプＢについて、繰り返し間の周波数ホッピングがスロット内で許容される場合、周波数ダイバーシチ利得を更に利用することができる。これは、図７に示されているように、帯域幅部分のサイズに応じて２つ以上のホップ上に各繰り返しをスケジュールするフレキシビリティを与える。基本的に、スロット内の単一の送信と比較して、より多くの設定が可能である。周波数間ホッピングは、例えば１２サブキャリア（周波数領域におけるリソースブロックのサイズに対応する）を含むサブキャリアブロック間のホッピングを指し得る。ただし、周波数ホッピングは、帯域幅部分ホッピングを指すこともある。ＴＳ  ３８．２１１  Ｖ１５．０．０（２０１７−１２）のセクション４．４．５によれば、帯域幅部分（又はキャリア帯域幅部分）は、所与のキャリア上の所与のニューメロロジーについて、４．４．４．２節において定義されている連続する共通リソースブロックのサブセットから選択される、４．４．４．３節において定義されている連続する物理リソースブロックのセットである。
【００３５】
スロット内の繰り返しを用いる別の利点は、図８に示されているように、単一の送信の場合には可能でない更なる空間ダイバーシチ利得を実現するために、各繰り返しを異なるビームで送信できることである。ビームフォーミングは、所与の無線送信のエネルギーを、ある方向に集中させることを可能にし、その結果、例えば、高周波数における高い伝搬損失を補償するために範囲を拡張することができる。例えば、１回の送信及び３回の繰り返しがスロット内で許容される場合、各送信に対して４つまでの異なるビームを利用することができ、したがって、更なる空間ダイバーシチ及び潜在的に改善される信頼性を得ることができる。
【００３６】
設定されたグラント（グラントフリーとしても知られている)ＰＵＳＣＨでは、ＰＵＳＣＨに対する全ての割当てられるリソースは、アップリンクに属することもあるし、又は、属さないこともある。ＵＬとして示されるシンボルのみが使用され得る。したがって、ＵＬとして示されるシンボルの数が、より長いＰＵＳＣＨの送信を可能にするのに十分でない又は連続していないことが生じ得る。したがって、図９に示されているように、より短いＰＵＳＣＨをより効率的にスケジュールすることができ、スロット内のそのＰＵＳＣＨの繰り返しは、アップリンクに利用可能な連続していないシンボルを利用することができる。
【００３７】
ＰＵＳＣＨマッピングタイプＢについて、スロット内の繰り返し（すなわち、単一のスロットにおいて実行される一連の初期送信及び繰り返しの全体）は、周波数ダイバーシチ及び空間ダイバーシチをそれぞれ利用することによって、周波数ホッピング及びビームホッピング等の他の物理レイヤ技術と組み合わせて、より良いフレキシビリティ及び利点を提供できることが、本開示の知見である。更に、設定されたグラントを伴うＰＵＳＣＨマッピングタイプＢについて、スロット内の繰り返しは、少数のＵＬシンボルで測定リソースを効率的に使用することを可能にすることが認められる。
【００３８】
従来の繰り返しでは、同じトランスポートブロック（ＴＢ）が、初期送信において送信され、全ての繰り返しが、同じＤＭＲＳ設定でラウンドする。しかしながら、これは、ＤＭＲＳオーバーヘッドの点で、最適下限をもたらす可能性がある。例えば、図１０に示されているように、初期送信及び６回の繰り返しによる２シンボルＰＵＳＣＨの場合、ＤＭＲＳオーバーヘッドは５０％であり、これは非常に高い。各繰り返しラウンドについて、ミニスロットは、当該のＴＴＩ内の１データシンボル及び１ＤＭＲＳシンボルからなり、これは、リソース使用の点で、非常に非効率的である。なぜならば、ＤＭＲＳシンボルが、初期送信及び繰り返しの全てが実行されるスロット期間にわたって非常に頻繁であるからである。
【００３９】
このように、従来の繰り返しは、ＰＵＳＣＨの長さが非常に短い特定のシナリオにおいて、非常に大きなＤＭＲＳオーバーヘッドをもたらす可能性があることが認められる。換言すれば、後続ＴＴＩ／ミニスロットのうちの１つの後続ＴＴＩ／ミニスロットに対応する各繰り返しラウンドは、１データシンボル及び１ＤＭＲＳシンボルからなり、これは、リソース使用の点で、非常に非効率的である。なぜならば、ＤＭＲＳシンボルが、スロット期間にわたって非常に頻繁であるからである。したがって、従来の繰り返しメカニズムと比較して、遅延及び／又は信頼性を改善するために、スロット内のミニスロット繰り返しを改善することが望ましい。
【００４０】
一方、高モビリティＵＥ（すなわち、高速で移動し、したがって、急速に変化するチャネル特性に対する頻繁な適応を必要とするＵＥ）にとっても、そのような高密度のＤＭＲＳは、必ずしも必要とされない。
【００４１】
上記の知見及び検討に鑑みて、本開示は、スロット内でのデータのミニスロット繰り返しにおいて、シグナリングメカニズムによって設定される繰り返しのうちの少なくとも１つの繰り返しにおけるＤＭＲＳ割当て／ＤＭＲＳシンボル割当てを変更する又は変化させることを可能にすることを提案する。この目的のために、提案される送信デバイス、受信デバイス、送信方法、及び受信方法が、本開示の以下の態様及び実施形態において説明される。
【００４２】
上記の動機付けは、ＰＵＳＣＨ繰り返しのコンテキストに言及し、更に、サービスタイプとしてのＮＲ  ＵＲＬＬＣに言及していたが、本開示は、特定のサービスタイプ又は通信チャネル／リンクに限定されるものではないことに留意されたい。特に、以下の説明において示されるように、本開示は、アップリンクに加えてダウンリンクの場合にも適用可能である。
【００４３】
概して、本開示は、通信システム（特に無線通信システム）において、チャネル（例えば、無線チャネル）を介して受信デバイス１１６０にデータを送信する送信デバイス１１１０を提供する。図１１に示されている送信デバイス１１１０は、処理回路１１３０及び送受信機１１２０を備える。処理回路は、動作中、複数の送信時間間隔（ＴＴＩ）にデータを割当てる。複数のＴＴＩは、それぞれ、スロットよりも少ない数のシンボルを含む。ここで、複数のＴＴＩの各ＴＴＩに割当てられるデータは同一である。データに加えて、復調用参照信号（ＤＭＲＳ）が、複数のＴＴＩのうちの初期ＴＴＩに割当てられる。更に、回路１１３０は、動作中、複数のＴＴＩのうち、初期ＴＴＩの後に続く後続ＴＴＩの各後続ＴＴＩについて、ＤＭＲＳが当該ＴＴＩに割当てられるか否かを示すＤＭＲＳ割当てを取得する。本開示において、所与のタスクを実行するよう適合又は構成されているデバイス又はデバイス部品は、「動作中」と呼ばれ、所与のタスクを実行する。記載されている動作に従うと、処理回路１１３０は、図１２に示されているように、ＤＭＲＳ割当て取得部１２３１及びＤＭＲＳ／データ割当て部１２３２を含む。ＤＭＲＳ割当て取得部１２３１は、動作中、ＤＭＲＳ割当てを取得する。ＤＭＲＳ／データ割当て部１２３２は、複数のＴＴＩにデータを割当て、初期ＴＴＩにＤＭＲＳを割当て、ＤＭＲＳ割当て取得部１２３１によって取得されたＤＭＲＳ割当てに従って、後続ＴＴＩにＤＭＲＳを割当てる又は割当てない。
【００４４】
ＤＭＲＳ割当ては、ＴＴＩについて、ＤＭＲＳがこのＴＴＩに割当てられるか否かを示す割当てスキーム又は割当て設定である。すなわち、ＤＭＲＳ割当ては、ＤＭＲＳが、データに加えて、ＴＴＩにおいて送信されるように、このＴＴＩに割当てられるか否かを示す。したがって、後続ＴＴＩのうちの１つの後続ＴＴＩについてのＤＭＲＳ割当てが、ＤＭＲＳがこの後続ＴＴＩにおいて送信されるべきであることを示す場合、ＤＭＲＳは、この後続ＴＴＩに割当てられる。しかしながら、ＤＭＲＳ割当てが、ＤＭＲＳがこのＴＴＩにおいて送信されるべきでないことを示す場合、ＤＭＲＳは、このＴＴＩに割当てられない。
【００４５】
送信デバイスの送受信機１１２０（すなわち、無線信号を送信／受信し、無線信号の時間リソース及び周波数リソースに割当てられたデータを変調／復調するよう適合されている送信デバイス及び／又は受信デバイスのハードウェアコンポーネント及びソフトウェアコンポーネントを意味する送信機及び受信機）は、動作中、スロット内で、複数のＴＴＩに割当てられたデータを受信デバイスに送信する。更に、送受信機１１２０は、初期ＴＴＩにおいて、初期ＴＴＩに割当てられたＤＭＲＳを送信し、取得されたＤＭＲＳ割当てに従って、１つ以上の後続ＴＴＩにおけるＤＭＲＳ送信を実行する。すなわち、一方では、ＤＭＲＳが割当てられた後続ＴＴＩにおいて、ＤＭＲＳ及びデータが送信される。他方では、ＤＭＲＳが割当てられていない後続ＴＴＩにおいて、ＤＭＲＳが送信されず、データが送信される。
【００４６】
本開示は、無線システム等の通信システムにおいて、チャネル（例えば、無線チャネル）を介して送信デバイス１１１０からデータを受信する受信デバイス１１６０を更に提供する。受信デバイス１１６０は、回路１１８０及び送受信機１１７０を備える。受信デバイスの回路１１８０は、動作中、１つ以上の後続ＴＴＩの各後続ＴＴＩ、すなわち、初期ＴＴＩの後に続く後続ＴＴＩの各後続ＴＴＩについて、ＤＭＲＳ割当てを取得する。初期ＴＴＩ及び後続ＴＴＩを含む複数のＴＴＩは、それぞれ、スロットよりも少ない数のシンボルを有する。複数のＴＴＩの各ＴＴＩに割当てられるデータは同一である。上記の説明に従うと、ＴＴＩについてのＤＭＲＳ割当ては、ＤＭＲＳが、データに加えて受信されるように、このＴＴＩに割当てられるか否かを示す。受信デバイス１１６０の送受信機１１７０は、動作中、送信デバイスから、スロット内で、初期ＴＴＩに割当てられたデータ及びＤＭＲＳと１つ以上の後続ＴＴＩに割当てられたデータとを受信する。１つ以上の後続ＴＴＩにおけるＤＭＲＳ受信は、ＤＭＲＳ割当てに従って実行される。
【００４７】
上述した送信デバイス１１１０及び受信デバイス１１６０に対応して、図１３に示されている送信方法及び受信方法がそれぞれ提供される。送信方法及び受信方法の両方は、初期ＴＴＩの後に続く１つ以上の後続ＴＴＩの各後続ＴＴＩについて復調用参照信号（ＤＭＲＳ）割当てを取得する取得ステップ（Ｓ１３１０、Ｓ１３６０）を含む。ＤＭＲＳ割当ては、ＤＭＲＳが、データに加えて送信されるように、当該後続ＴＴＩに割当てられるか否かを示す。初期ＴＴＩ及び１つ以上の後続ＴＴＩを含む複数のＴＴＩは、それぞれ、スロットよりも少ない数のシンボルを含む。送信方法は、複数のＴＴＩの各ＴＴＩに同一のデータを割当て、初期ＴＴＩにＤＭＲＳを割当て、ＤＭＲＳ割当てによって示される場合には、１つ以上の後続ＴＴＩのうちの１つ以上の後続ＴＴＩにＤＭＲＳを割当てる割当てステップ（Ｓ１３２０）を更に含む。送信方法は、初期ＴＴＩに割当てられたデータ及びＤＭＲＳと１つ以上の後続ＴＴＩに割当てられたデータとを受信デバイスに送信する送信ステップ（Ｓ１３３０）を更に含む。ここで、１つ以上の後続ＴＴＩにおけるＤＭＲＳ送信は、ＤＭＲＳ割当てに従って実行される。受信方法は、送信デバイスから、スロット内で、初期ＴＴＩに割当てられたデータ及びＤＭＲＳと１つ以上の後続ＴＴＩに割当てられたデータとを受信する受信ステップ（Ｓ１３７０）を含む。ここで、１つ以上の後続ＴＴＩにおけるＤＭＲＳ受信は、ＤＭＲＳ割当てに従って実行される。
【００４８】
上述したように、データと場合によっては参照信号とは、それぞれスロットよりも小さい送信時間間隔（ＴＴＩ）にそれぞれ割当てられる。したがって、本開示は、特に、上述した非スロットベース割当てに関連する。上述したように、非スロットベース割当てでは、ＴＴＩの最小の長さは、従来では２ＯＦＤＭシンボルであり得る。このような２シンボルＴＴＩが、図１０に示されている。スロットよりも小さいＴＴＩは、本開示において、ミニスロットと呼ばれる。しかしながら、このことは、本開示をこのような用語に限定するものではない。特に、ミニスロットＴＴＩの小さいサイズに起因して、最初の２シンボル（すなわち、１ＤＭＲＳシンボル及び１データシンボル）における初期送信と１ＤＭＲＳシンボル及び１データシンボルをそれぞれ含む６回の繰り返しとを含む一連の繰り返しの全体が、スロットに収まり、したがって、一連の繰り返しの全体が、単一のスロット内でなされる。更に、本開示は、ＤＭＲＳが割当てられないＴＴＩ、すなわち、ＤＭＲＳシンボルを含まないＴＴＩにも対応する。したがって、ＤＭＲＳシンボルが、１データシンボルのみを有するミニスロットから除去される場合、ＴＴＩの最小サイズは、従来想定されていた２シンボルではなく、１シンボルになる。
【００４９】
ＤＭＲＳが割当てられるＴＴＩ／ミニスロット内では、ＤＭＲＳが割当てられる（ＤＭＲＳ）シンボルが、データが送信される１つ以上のシンボルに先行する。ＤＭＲＳは、受信機側で、コヒーレント復調のためのチャネル推定に使用される。一般に、ＴＴＩは、データが送信される１つ以上のデータシンボルに先行する、ＤＭＲＳ再送のための複数のＤＭＲＳシンボルを含むことも可能である。
【００５０】
しかしながら、チャネル特性が、コヒーレント復調が損なわれるように１つ又は２つのミニスロットの持続時間中に変化することが予想されないシナリオでは、１つ以上の後続ＴＴＩの前の最初のＴＴＩにＤＭＲＳシンボルを割当てるが、１つ以上の後続ＴＴＩにＤＭＲＳを割当てないことで十分であり得る。すなわち、そのような場合、ＤＭＲＳは、初期ＴＴＩの後に続く１つ以上の後続ＴＴＩ／ミニスロットのうちの少なくとも１つの後続ＴＴＩ／ミニスロットにおいて送信されない。このようにスロット内の後続ＴＴＩにＤＭＲＳを割当てないことは、例えば、ファクトリーオートメーション等、送信デバイスが、移動していない又は低速で移動していることが予想されるユースケースにおいて、なされ得る。
【００５１】
データ繰り返しのためのフレキシブルなＤＭＲＳ割当ての一例が、図１４に示されている。この図は、１４シンボルを含むスロットを示している。このスロットの最初の１０シンボルは、一連の初期送信及び繰り返しによって占有される。初期ミニスロットにおける初期送信は、最初の２シンボルに対応し、その後に、６つの後続ＴＴＩにおける６回のデータ繰り返しが続く。１回目の繰り返し及び４回目の繰り返しでは、更なるＤＭＲＳが送信される、すなわち、１番目の後続ミニスロット及び４番目の後続ミニスロットは両方とも、データシンボルに加えてＤＭＲＳシンボルを含む。したがって、１番目の後続ＴＴＩ及び４番目の後続ＴＴＩのＤＭＲＳ割当ては、それぞれ、ＤＭＲＳがこれらのＴＴＩにおいて送信されることを示す。一方、２回目の繰り返し、３回目の繰り返し、５回目の繰り返し、及び６回目の繰り返しに対応する複数のＴＴＩのそれぞれのＤＭＲＳ割当てに従って、ＤＭＲＳは、これらのＴＴＩのいずれにも割当てられない。
【００５２】
本開示の送信／受信デバイス及び送信／受信方法の利点は、以下で説明されるような１回以上のデータ繰り返しでのＤＭＲＳのフレキシブルな除去及び／又は置換等、ミニスロットにＤＭＲＳをフレキシブルに割当てること及び割当てないことが、既存のＤＭＲＳ設定が限られていることに起因して単一の割当て（すなわち、繰り返しの各ＴＴＩに対する同じＤＭＲＳ割当て）では可能でない、更なる利点を有する設定を可能にし得ることである。
【００５３】
前述したように、ミニスロット（すなわち、スロットよりも少ないシンボルを有するＴＴＩ）のためのＤＭＲＳ割当てスキームは、ＤＭＲＳが、ミニスロットに、詳細には、ミニスロットの１つ以上のシンボル（一般に、時間順で最初のシンボルを含む）に、割当てられるか否かを示す又は指定する。したがって、ＤＭＲＳ割当ては、本開示において、ＤＭＲＳシンボル割当てとも呼ばれる。以下では、可能なＤＭＲＳシンボル割当てに関する更なる詳細が提供される。特に、スロット内の少なくとも１つのＴＴＩについてのＤＭＲＳシンボル割当てが、ＤＭＲＳが当該ＴＴＩに割当てられないことを指定する場合、データがスロット内のＴＴＩのそれぞれのシンボルにどのように割当てられるかが、説明される。
【００５４】
これまで、１つのスロット内のミニスロットにおける一連のＤＭＲＳ繰り返しにおいて、データ繰り返しが実行される特定のＴＴＩにＤＭＲＳが割当てられないことが説明された。特に、本開示のいくつかの実施形態に従ったフレキシブルなＤＭＲＳ割当て又はＤＭＲＳシンボル割当ての変更は、以下を意味し得る：
−所与の繰り返しにおける１つ以上のＤＭＲＳシンボルが除去され、１つ以上のデータシンボルのみが、所与の繰り返しに対応するそれぞれのＴＴＩにおいて送信される。１回以上の繰り返しにおける１つ以上のＤＭＲＳシンボルのフレキシブルな除去は、従来の繰り返し（すなわち、ＤＭＲＳが、繰り返しが行われるそれぞれのＴＴＩに割当てられる繰り返し）と比較して、最終目標ＢＬＥＲを達成するために遅延を低減することを容易にすることができる。
−所与の繰り返しにおける１つ以上のＤＭＲＳシンボルが、１つ以上のデータシンボルで置換され、送信されるデータに対応するトランスポートブロック(ＴＢ)が、初期送信に対して低減された符号化レートで送信される。１回以上の繰り返しにおける１つ以上のＤＭＲＳシンボルのフレキシブルな置換は、従来の繰り返しと比較して、信頼性の増大を容易にすることができる。
−１つ以上のＤＭＲＳシンボルの除去と置換とが組み合わされる。これは、従来の繰り返しと比較して、遅延及び信頼性の両方の改善を提供することを容易にすることができる。
【００５５】
（ＤＭＲＳの除去）
いくつかの実施形態に従うと、ＤＭＲＳ割当ては、ＤＭＲＳがＴＴＩに割当てられない場合、このＴＴＩの長さが、ＤＭＲＳに対応する１つ以上のシンボル分だけ低減されることを更に示す。このことは、ＤＭＲＳが割当てられないＴＴＩにおいて、１つ以上のＤＭＲＳシンボルが除去されることを意味する。
【００５６】
したがって、従来の繰り返しに対する１つの可能な拡張は、チャネル状態及び信頼性要件に応じて、特定の繰り返しからＤＭＲＳを除去するフレキシビリティを可能にすることである。一例として、初期送信及び６回の繰り返しによる２シンボルＰＵＳＣＨの場合に、特定の繰り返しからＤＭＲＳを除去することが許容されるならば、可能性のうちの１つは、図１４に示されているＴＴＩへのデータ及びＤＭＲＳの上述した割当てのように見える。このフレキシビリティは、ＤＭＲＳオーバーヘッドを制御することを可能にするだけでなく、更に、ＮＲ  Ｒｅｌ．１５において現在サポートされていないＤＭＲＳ設定の点で更なるフレキシビリティを与える。更に、このようなフレキシビリティを可能にすることによって、全体的な遅延も低減される。
【００５７】
ＤＭＲＳシンボルなしのミニスロット／ＴＴＩに対応するＤＭＲＳなしの繰り返しラウンドは、チャネル推定のために、最後の利用可能なＤＭＲＳを使用する。特に、２回目の繰り返し及び３回目の繰り返しは、ＤＭＲＳなしであり、これらは、復調のために、１回目の繰り返しからのＤＭＲＳを使用する。同様に、５回目の繰り返し及び６回目の繰り返しは、ＤＭＲＳなしであり、これらは、復調のために、４回目の繰り返しからのＤＭＲＳを使用する。
【００５８】
復調性能に関して、特に、ＵＥ等の送信デバイスについての低モビリティ要件を有するアプリケーションにおいて、ＤＭＲＳなしの繰り返しに対して無視してよい差異があるべきである。なぜならば、以前の繰り返しからの最後の利用可能なＤＭＲＳとの間隔が依然としてやや小さいからである。更に、初期データ送信及び繰り返しラウンドの各繰り返しラウンドにおいて、同じＭＣＳ（変調・符号化方式）、特に同じ符号化レート、が使用されてもよい。なぜならば、例えば、送信ごとに１データシンボルといった、同じ量のデータシンボルが、初期ＴＴＩ及び１つ以上の後続ＴＴＩの各後続ＴＴＩにおいて、利用可能であるからである。
【００５９】
このような設定（特に、１つのスロット内でのシンボルへのデータ／ＤＭＲＳ割当て）は、単一の割当てについて現在サポートされているＤＭＲＳ設定に従うと可能でない。そのような設定について、性能は、単一の送信についての現在の設定と比較して、同様であることもあるし、又は、改善されることもある。
【００６０】
更に、従来の繰り返しと比較して、遅延を低減しつつ、同じ信頼性を得ることができる。例えば、図１４に示されているように、遅延は、４シンボル分だけ低減される。
【００６１】
更に、リソース（特に、時間領域のリソース）を、従来の繰り返しに対して節減することができる。従来の繰り返しでは、スロットの１４シンボル全てが、一連の初期送信及び６回の繰り返しに使用されるが、本実施形態に従うと、スロット内のいくつかのシンボル（例えば、図１４に示されているスロットの最後の４シンボル）は、一連の初期送信及び繰り返しによって使用され得ず、例えば、同じ又は他のＵＥのためのキュー内の他のＵＲＬＬＣトラフィックといった、他の送信に使用されてもよい。
【００６２】
したがって、特に上述したＰＵＳＣＨマッピングタイプＢに関して、ＰＵＳＣＨマッピングタイプＢについてのスロット内の繰り返しでは、特定の繰り返しラウンドからＤＭＲＳを除去することが、ＤＭＲＳオーバーヘッドを低減し、ＤＭＲＳ設定の点で更なるフレキシビリティを提供することを可能にすることが、本開示の更なる知見である。このことは、ＮＲ  Ｒｅｌ．１５では現在可能でない。追加の知見は、ＰＵＳＣＨマッピングタイプＢについてのスロット内の繰り返しでは、特定の繰り返しラウンドからＤＭＲＳを除去することが、全体的な遅延を低減し、リソースを、例えば、ＵＲＬＬＣ／ｅＭＢＢといった、パイプライン内の他のトラフィックに利用可能にすることも可能にすることである。
【００６３】
（ＤＭＲＳの置換）
いくつかの実施形態に従うと、１つ以上の後続ＴＴＩのうちの後続ＴＴＩについてのＤＭＲＳ割当ては、ＤＭＲＳが、スロットよりも小さいこの後続ＴＴＩに割当てられない場合、この後続ＴＴＩにおけるＤＭＲＳの割当てのためのシンボルが、データの割当てのためのシンボルで置換されることを更に示す。換言すれば、ミニスロットにおいて、ＤＭＲＳシンボルがデータシンボルで置換される。
【００６４】
ＤＭＲＳシンボルがデータシンボルで置換される、スロット内のＴＴＩのシンボルへのＤＭＲＳ及びデータの例示的な割当てが、図１５に示されている。このスロットは７つのミニスロットを含み、各ミニスロットは２シンボルを含む。初期ＰＵＳＣＨ送信が実行される最初の（初期）ミニスロットと、１回目の繰り返し、３回目の繰り返し、及び５回目の繰り返しについてのデータが割当てられる後続ＴＴＩと、は、それぞれ、１ＤＭＲＳシンボル及び１データシンボルを含む。しかしながら、２回目の繰り返し、４回目の繰り返し、及び６回目の繰り返しは、それぞれ、データシンボルなしである。これらの繰り返しに対応するＴＴＩにおいて、ＤＭＲＳは、それぞれ、データシンボルで置換される。したがって、２番目の後続ミニスロット、４番目の後続ミニスロット、及び６番目の後続ミニスロットの各々は、１ＤＭＲＳシンボル及びその後に続く１データシンボルではなく、２データシンボルを含む。
【００６５】
スロット内の繰り返しのためのＤＭＲＳ割当てスキームにより、特定の繰り返しにおけるＭＣＳ（すなわち、符号化レート）を低減して符号化利得を向上させるとともに、データシンボルとＤＭＲＳとの間の間隔が長くならないようにすることによって所望の復調性能を維持するための原理を適用することができる。図１５からわかるように、２シンボルを有するＴＴＩにおいて、ＤＭＲＳシンボルがデータシンボルで置換されると、送信に利用可能なシンボルの数が２倍になる。更に、各繰り返しにおいて、同一のデータが送信される。したがって、２シンボルの例では、符号化レートは、基本的に、変更（すなわち、データシンボルでのＤＭＲＳシンボルの置換）が適用される全ての繰り返しにおいて、初期データ送信の符号化レートの半分に低減され得る。しかしながら、本開示は、２シンボルを有するＴＴＩに限定されるものではないので、低減される符号化レートは、初期ＴＴＩとＤＭＲＳシンボルを含む後続ＴＴＩとにおいてデータが符号化される元々の符号化レートの半分以外の値をとることもできる。
【００６６】
図１５に例示されるような設定が、現在のＤＭＲＳ設定に従うと可能でない単一の割当てと比較して、ＤＭＲＳシンボルがデータシンボルで置換される設定では、同様の性能又は更に良い性能を得ることができる。更に、従来の繰り返しと比較して、遅延を同じに維持しつつ、信頼性を更に改善することができる。
【００６７】
上述したように、ＤＭＲＳシンボルは、スロット内の特定のＴＴＩから除去されることもあるし、又は、置換されることもある。例えば、単一のスロット又は一連のスロット内で、ＤＭＲＳシンボル割当ての変更は、ＤＭＲＳシンボルの除去又はＤＭＲＳシンボルの置換のいずれかに制限されてもよい。すなわち、そのようなスロット内で、ＤＭＲＳが１つ以上の後続ＴＴＩに割当てられない場合、除去のみが実行される、又は、置換のみが実行される。しかしながら、以下の実施形態において説明されるように、ＤＭＲＳシンボルの除去と置換とが、単一のスロット内の異なるＴＴＩに対して組み合わされてもよい。
【００６８】
（除去と置換との組み合わせ）
例えば、いくつかの実施形態に従うと、ＤＭＲＳ割当ては、ＤＭＲＳがＴＴＩに割当てられない場合、このＴＴＩの長さが、ＤＭＲＳに対応する１シンボル分だけ低減されること（ＤＭＲＳシンボルの除去）、又は、このＴＴＩにおけるＤＭＲＳの割当てのためのシンボルが、データの割当てのためのシンボルで置換されること（ＤＭＲＳシンボルの置換）、のいずれかを更に示す。したがって、データがスロット内で繰り返し送信される１つ以上の後続ＴＴＩの中で、ＤＭＲＳシンボル除去が後続ＴＴＩのうちの１つの後続ＴＴＩに、ＤＭＲＳシンボル置換が後続ＴＴＩのうちの別の１つの後続ＴＴＩに、これらのＴＴＩの時系列の順序にかかわらず、適用される設定が可能である。すなわち、ＤＭＲＳシンボルが除去されるＴＴＩは、ＤＭＲＳシンボルが置換されるＴＴＩに、送信順序で先行することもあるし、又は、その逆もある。
【００６９】
スロットに含まれる異なるＴＴＩにおいてＤＭＲＳシンボルの除去及び置換の両方が実行されるスロットが、図１６に示されている。具体的には、２回目の繰り返し及び５回目の繰り返しが実行される２番目の後続ミニスロット及び５番目の後続ミニスロットはＤＭＲＳシンボルなしであり、これらのミニスロットの長さは、それに応じて低減される。３回目の繰り返し及び６回目の繰り返しに対応する３番目の後続ミニスロット及び６番目の後続ミニスロットも同様にＤＭＲＳシンボルなしであり、これらのミニスロットにおいて、ＤＭＲＳシンボルが更なるデータシンボルで置換される。それぞれ２データシンボルを含む３回目の繰り返し及び６回目の繰り返しでは、上述したように、符号レートを半分に低減することができる。更に、この図から更にわかるように、時間順でスロットの最後の２シンボルは、一連の初期送信及び繰り返しに使用されず、したがって、パイプライン内の他のトラフィックに利用可能である。
【００７０】
ＤＭＲＳシンボルの除去とデータシンボルでのＤＭＲＳシンボルの置換とのこのような混合利用は、信頼性の増大を容易にするとともに、従来の繰り返しに対して遅延を低減することができる。ＤＭＲＳシンボルの除去は、遅延改善を提供することができるのに対し、符号化レートの低減を伴うＤＭＲＳシンボルの置換は、信頼性の増大を容易にすることができるが、これらの実施形態の組み合わせは、より優れたフレキシビリティを提供し、異なる目的の間のトレードオフを可能にする。
【００７１】
上述したように、いくつかの実施形態において、ＴＴＩにおけるＤＭＲＳの割当てのためのシンボルが、データの割当てのためのシンボルで置換される場合、データは、このＴＴＩにおいて、初期ＴＴＩにおいてデータが送信される符号レート（又は符号化レート）よりも低い符号レートで、送信される。例えば、示されているように、より低い符号レートは、初期ＴＴＩ／ミニスロットにおいて送信されるデータが符号化される符号レートの半分であってもよいが、本開示は、符号化レートを半分に低減することに限定されるものではない。代替的に、初期ＴＴＩが、２データシンボル及び１ＤＭＲＳシンボルを含み、後続ＴＴＩが、３データシンボルを含み、ＤＭＲＳシンボルを含まない場合、符号化レートは、初期送信において用いられる符号化レートの３分の２に低減され得る。上述したように、符号化レートの前述の低減は、絶対符号化レート１を例えば１／２に低減するのではなく、初期ＴＴＩにおけるデータの符号化レートに対するものとして理解されるべきである。すなわち、符号化レートの前述の低減は、符号化レートのオリジナル値とは無関係である。
【００７２】
（アップリンクの送信及び繰り返し）
一連の初期送信及び繰り返しが、ＰＵＳＣＨ(物理アップリンク共有チャネル）送信等のアップリンク送信を構成するいくつかの例が示された。したがって、いくつかの実施形態において、送信デバイス１１１０（具体的には、送信デバイス１１１０の動作中の送受信機１１２０）は、アップリンク上で受信デバイスにデータを送信し、送信デバイス１１１０の送受信機１１２０は、更に、受信デバイス１１６０から制御シグナリングを受信する。これに対応して、受信デバイス１１６０は、送信デバイスに制御シグナリングを送信する。
【００７３】
制御シグナリングは、後続ＴＴＩの各後続ＴＴＩについて、それぞれのＤＭＲＳ割当てを示す割当てインジケータを含む。送信デバイスの回路１１３０は、制御シグナリングを評価することによって、初期ＴＴＩの後に続くＴＴＩの各ＴＴＩについてのＤＭＲＳ割当てを取得する。
【００７４】
送信デバイス１１１０がアップリンク上で受信デバイス１１６０にデータを送信する実施形態において、送信デバイスは、端末又はユーザ機器であってよく、受信デバイス１１６０は、ＬＴＥ(ロングタームエボリューション）又はＬＴＥ−ＡｄｖａｎｃｅｄシステムのｅＮｏｄｅＢ（ｅＮＢ）に対応する、ＮＲ（新無線）通信システムにおいてｇＮＢ又はｇＮｏｄｅＢと呼ばれる基地局であってよい。アップリンク上でのデータ送信は、初期ＰＵＳＣＨ送信及び１回以上の繰り返しに対応してよい。
【００７５】
本開示に従ったアップリンク送信方法及びアップリンク受信方法が、図１７に示されている。図示されているように、受信デバイス１１６０に対応するｇＮＢは、ＤＭＲＳ割当てを決定する決定ステップＳ１７６０（図１３のステップＳ１３６０を具現化している）によって、ＤＭＲＳを取得する。具体的には、ＤＭＲＳ割当てのこのような決定は、チャネル品質推定に基づいて実行される。具体的には、基地局は、ＵＥがチャネル品質推定の目的で送信したアップリンクサウンディング参照信号（ＳＲＳ）に基づいて、チャネル品質を推定することができる。ｇＮＢは、１つ以上のＵＥからＳＲＳを受信し、受信したＳＲＳに基づいて推定したチャネル品質に対応するチャネル状態に基づいて、ＤＭＲＳ割当てを決定することができる。
【００７６】
次いで、ｇＮＢ／基地局は、ＤＭＲＳ割当てインジケータを生成し、ステップＳ１７６５において、ＤＭＲＳ割当てインジケータを含む制御シグナリングを（ユーザ）端末に送信する。ユーザ端末は、ステップＳ１７１０（図１３のステップＳ１３１０を具現化している）において、ＤＭＲＳ割当てインジケータを含む制御シグナリングを受信し、それによって、ＤＭＲＳ割当てを取得する。アップリンク送信方法の割当てステップＳ１３２０及び送信ステップＳ１３３０並びにアップリンク受信方法の受信ステップＳ１３７０が、図１３に示されている対応する概括的な方法に従って実行される。
【００７７】
（制御シグナリング）
具体的には、いくつかの実施形態において、１つ以上の後続ＴＴＩの各後続ＴＴＩについてのＤＭＲＳ割当てインジケータは、２ビット割当てインジケータである。２ビットは、ＤＭＲＳがＴＴＩに割当てられるか否かを示し、ＤＭＲＳの除去又はＤＭＲＳの置換のいずれのオプションが適用されるかを更に示すのに十分である。したがって、各繰り返しは、以下の２ビットインジケーションのうちの１つにそれぞれ関連付けられ得る。
−「００」：所与の繰り返しにおいて１つ以上のＤＭＲＳシンボルに対する変更がない（すなわち、ＤＭＲＳがＴＴＩに割当てられる）
−「０１」：１つ以上のＤＭＲＳシンボルが除去され、所与の繰り返しのＴＴＩ長が低減される
−「１０」：１つ以上のＤＭＲＳシンボルが１つ以上のデータシンボルで置換され、所与の繰り返しの符号化レートが低減される
−「１１」：予約されたエントリー
【００７８】
上記の２ビットインジケーションに従うと、６回の繰り返しについてのＤＭＲＳ割当てインジケータは、６つの２ビットインジケータからなる。図１６に示されているＤＭＲＳシンボルの除去と置換との組み合わせの例では、結果として得られる１２ビットのインジケータは、「００  ０１  １０  ００  ０１  １０」となる。このインジケータは、図１８にも示されている。
【００７９】
明らかなことに、２ビット値とＤＭＲＳ割当てとの間の関連付けは、単に例示である。代替的に、例えば、「１０」は、ＤＭＲＳシンボル除去を表してもよい。
【００８０】
代替的に、ＤＭＲＳ割当てインジケータは、２ビットよりも多い又は少ないビットを有してもよい。具体的には、スロット内で送信される後続ＴＴＩの各後続ＴＴＩについてのＤＭＲＳ割当てインジケータは、１ビットインジケータであってもよく、その結果、最大６回の再送のＤＭＲＳ割当てのインジケーションについては６ビットフィールドになる。例えば、規格から又は更なる制御シグナリングから、どのような特定の変更がＴＴＩにおける割当てに対してなされるか（例えば、ＤＭＲＳシンボルの除去又は置換が実行されるかどうか）が、明確である又は知られているならば、ＴＴＩに対応する１ビットインジケータは、ＤＭＲＳがこのＴＴＩに割当てられるか否かを示すのに十分である。例えば、「０」というビット値は、ＤＭＲＳが、ＴＴＩに割当てられ、このＴＴＩにおいて送信されることを示すことができ、「１」というビット値は、ＤＭＲＳシンボルが置換されるか又は除去されるかにかかわらず、ＤＭＲＳが割当てられないことを示すことができる。したがって、６回の繰り返しの全てについての結果として得られる６ビットＤＭＲＳ割当てインジケータは、図１４に示されている例（除去）では、「０１１０１１」となり、図１５に示されている例（置換）では、「０１０１０１」となる。この場合も、「０」という値と「１」という値とが逆にされてもよく、この場合、「１」という値は、ＴＴＩへのＤＭＲＳの割当てを意味する。
【００８１】
例えば、ＤＭＲＳ割当てインジケータ（例えば、それぞれのＴＴＩについての上述した１ビットインジケータ又は２ビットインジケータ）は、上位シグナリングに含まれ得る。したがって、ＤＭＲＳ割当ては、準静的に、具体的には、ＲＲＣ（無線リソース制御）シグナリングにおいて、シグナリングされる。
【００８２】
いくつかの実施形態において、制御シグナリングは、ＤＭＲＳが１つ以上の後続ＴＴＩのうちのいずれにも割当てられないかどうかを示すＤＭＲＳ有効化インジケータを更に含む。したがって、１ビットインジケータであってもよいＤＭＲＳ有効化インジケータは、フレキシブルな繰り返し設定（ＤＭＲＳが後続ＴＴＩに割当てられるか又は割当てられないかに加えて、割当てられない場合のタイプ）が適用されるか否かを示すことができる。換言すれば、ＤＭＲＳ有効化インジケータは、フレキシブルなＤＭＲＳ設定を無効化又は有効化するために設定される。更に、特定のＤＭＲＳ有効化インジケータの選択は、ＤＭＲＳ割当てにおけるフレキシビリティの程度を示すことができる。
【００８３】
具体的には、ＤＭＲＳ有効化インジケータは、フレキシブルなＤＭＲＳが、スロット内で又はいくつかのスロットを含むより長い時間間隔内で、適用されるか否かを示す１ビットインジケータであってもよい（例えば、有効化インジケータは、後述されるように、準静的にシグナリングされてもよい）。例えば、「０」は、ＤＭＲＳが特定のＴＴＩに割当てられないことを許容するフレキシブルな繰り返しが適用されないことを示し、「１」は、フレキシブルな繰り返しが適用されることを示す（又は、その逆であってもよい）。１ビット有効化インジケータは、上述した一連の繰り返しの特定のＴＴＩ群についてのそれぞれの２ビットインジケータと組み合わせて使用されてもよい。例えば、ＤＭＲＳ有効化インジケータが、フレキシブルなＤＭＲＳが適用されることを示す場合、２ビットインジケータは、スロット内の特定のＴＴＩに関して、ＤＭＲＳ割当てが適用されるか、ＤＭＲＳ除去が適用されるか、又は、ＤＭＲＳ置換が適用されるかを指定することができる。
【００８４】
代替的に、１ビット有効化インジケータは、ＤＭＲＳ除去が適用されるか又はＤＭＲＳ置換が適用されるかを示してもよい（例えば、「０」は除去を示し、「１」は置換を示す）。この場合、ＤＭＲＳが割当てられない（具体的には、ＤＭＲＳ有効化インジケータの値に応じて除去又は置換）かどうかは、それぞれのＴＴＩについての１ビットＤＭＲＳ割当てインジケータによって示され得る。
【００８５】
有効化インジケータは、上位レイヤシグナリングに含まれ得る。代替的に、有効化インジケータは、例えば、スケジューリング情報（グラント）及び／又は伝送パラメータを伝達するための動的シグナリングとみなされ得るダウンリンク制御情報（ＤＣＩ）（すなわち、ＰＤＣＣＨ（物理ダウンリンク制御チャネル）上で伝送される物理レイヤ制御シグナリングメッセージ）に含まれてもよい。本開示は、特定のＤＣＩフォーマットに限定されるものではなく、フォーマットは、ＮＲ用の既存の／指定されたＤＣＩフォーマットに対応してもよいし、又は、将来、ＵＲＬＬＣ等のタイプの特定のサービスについて合意されることもある。一方で、ＤＣＩに有効化インジケータを含めることは、フレキシブルな一連のデータ繰り返しについてのグラントを用いてＤＭＲＳ割当ての有効化／無効化が実行可能であるので、より優れたフレキシビリティを提供する。他方で、ＤＣＩではなく上位レイヤシグナリングにおいて有効化インジケータをシグナリングすることは、更なるＤＣＩシグナリングを導入すること、したがって、ＤＣＩシグナリングオーバーヘッドをもたらすことを回避することができる。しかしながら、ＤＭＲＳ割当てインジケータがＤＣＩに含まれる場合、有利なことに、１ビット割当てインジケータが使用される。
【００８６】
それぞれのＴＴＩについてのＤＭＲＳ割当てインジケータを含む上述した制御シグナリング及び有効化インジケータは、ＲＲＣシグナリング（準静的なコンフィギュアビリティ）だけで具現化できるシグナリングメカニズムを構成する。一方、シグナリングメカニズムは、以下で説明されるように、ＲＲＣシグナリングとＤＣＩシグナリングとの両方の組み合わせとして具現化されてもよい。
【００８７】
ＤＭＲＳ割当て／有効化の設定が、ＲＲＣシグナリングのみで行われる場合、２ビットフィールド（本開示において「ビットフィールド１」及び「ビットフィールド２」と呼ばれる）が、繰り返しラウンドのうちの任意の繰り返しラウンドにおいてＤＭＲＳシンボルの除去又は置換を可能にする完全なフレキシビリティ（すなわち、一連の繰り返し内で、除去、置換、又は割当てが、それぞれ、どのような順序で実行されるかをフレキシブルに指定すること）を可能にし得る。
【００８８】
ビットフィールド１は、フレキシブルな繰り返し設定が適用されるか否かを示す上述した１ビット有効化インジケータに対応してよい。正確な繰り返し設定（ＤＭＲＳ割当て）は、ＴＴＩについてそれぞれ提供される２ビット割当てインジケータに対応するビットフィールド２によって設定可能である。ビットフィールド２では、最大ビット数は、最大許容繰り返し数の２倍である。例えば、最大６回の繰り返しが許容されるならば、フレキシブルな繰り返し設定を可能にするために、１２ビットフィールドが、ＲＲＣにおいて規定される。各繰り返し（すなわち、各後続ＴＴＩ）は、ＤＭＲＳ割当てインジケータの説明において上記で挙げられたようなインジケーションを有する２ビットに関連付けられる。したがって、図１６に示されているＤＭＲＳ除去とＤＭＲＳ置換との組み合わせの例に戻ると、ビットフィールド１は、値「１」（フレキシブルな繰り返しが適用されることを示す）を有し、ビットフィールド２は、上述し図１８に示されているように、値「００  ０１  １０  ００  ０１  １０」をとる。
【００８９】
１ビットフィールドであるビットフィールド１と最大１２ビットまでのフィールドであるビットフィールド２との代替として、ＤＭＲＳ置換が適用されるか又はＤＭＲＳ除去が適用されるかを示す１ビット有効化インジケータが、上述した後続ＴＴＩについてのそれぞれの１ビットＤＭＲＳ割当てインジケータと組み合わされてもよい。更なる代替として、上述したような２ビット有効化インジケータが、それぞれの１ビット割当てインジケータと組み合わされてもよい。後者のシグナリングメカニズムでは、最大１２ビットまでのビットフィールド２が、ビットの半分だけ低減されて、最大６ビットまでのフィールドに低減されてもよい。したがって、ＲＲＣシグナリングにおけるリソースが節減される。
【００９０】
更に、本開示に従うと、繰り返しに対応するそれぞれのＴＴＩについての１つ以上のＤＭＲＳ割当てのシグナリングは、ビットフィールド１なしで実行されてもよい。具体的には、ＤＭＲＳ割当てに関連する制御シグナリングは、ＤＭＲＳ割当てインジケータのみを含んでもよい。しかしながら、有効化インジケータが、ＲＲＣ制御シグナリングに含まれ、値「０」（フレキシブルな繰り返しが適用されないこと）を示す場合、ビットフィールド２は、同じＲＲＣシグナリングにおいてシグナリングされる必要はなく、ビットが、ＤＭＲＳ割当て以外のインジケーションのために再使用されることもあるし、又は、節減されることもある。
【００９１】
ＲＲＣのみにおけるＤＭＲＳ割当て／有効化の制御シグナリングの代替として、シグナリングメカニズムは、ＲＲＣシグナリング及びＤＣＩシグナリングの両方を含んでもよい。そのような実施形態は、ＤＭＲＳ割当ての動的性をある程度可能にし得る。
【００９２】
具体的には、「ビットフィールド１」と呼ばれるフィールドが、ＤＣＩに移されてもよい。すなわち、上述した１ビット有効化インジケータのうちの１つの１ビット有効化インジケータに対応する１ビットフィールドが、フレキシブルな繰り返し設定（この場合、ＲＲＣビットフィールドによって依然として設定可能である）が適用されるか否かを動的にシグナリングするために、ＤＣＩに追加される（フレキシブルな繰り返し設定が適用される場合にはＤＣＩビットフィールド値が「１」、フレキシブルな繰り返し設定が適用されない場合にはＤＣＩビットフィールド値が「０」）。ＲＲＣにおける制御シグナリングとＤＣＩにおける制御シグナリングとが組み合わされる場合、ＲＲＣシグナリングにおけるＲＲＣビットフィールドは、ＲＲＣのみの使用に関して上述した「ビットフィールド２」と同じであってよい。したがって、繰り返し設定パターン（すなわち、後続ＴＴＩのそれぞれのＤＭＲＳ割当て）は同じであるが、その適用（すなわち、フレキシブルなＤＭＲＳ割当てをオン又はオフに「切り替える」有効化（無効化））は、ＤＣＩを介して動的に行われる。
【００９３】
ＤＣＩ内の１ビットフィールドは、上述したように、フレキシブルなＤＭＲＳ割当ての有効化又は無効化を指定する１ビット有効化インジケータであってよい。この場合、ＲＲＣシグナリング内のビットフィールドは、ＤＭＲＳシンボル置換が適用されるか又はＤＭＲＳシンボル除去が適用されるかも示す、上述したような２ビットＤＭＲＳ割当てインジケータ（最大６回までの繰り返しに対して最大１２ビットまで）に対応してよい。しかしながら、ＤＣＩ内の１ビットフィールドは、ＤＭＲＳ除去が適用されるか又はＤＭＲＳ置換が適用されるかを示す上述したインジケータに対応することもできる。この場合、ＤＭＲＳ割当てインジケータは、上述したように、後続ＴＴＩごとに１ビットを有することができる（最大６回までの繰り返しに対して最大６ビットまで）。更なる代替として、ＤＭＲＳが繰り返しに割当てられない場合のシンボル割当てのタイプ（置換又は削除）が、例えば規格によって、予め定義されてもよい。この場合、ＤＣＩ内の１ビット有効化インジケータと後続ＴＴＩごとの１ビットＤＭＲＳ割当てインジケータ（例えば、６回の繰り返しに対応する６ビット）とで十分である。
【００９４】
（更なる実施形態）
上記の実施形態のうちの一部は、特にアップリンク送信／繰り返しに関連して説明された。しかしながら、すでに述べているように、本開示は、アップリンクの場合に限定されるものではなく、ＰＤＳＣＨ繰り返しに関して使用されてもよい。したがって、いくつかの実施形態において、受信デバイスではなく送信デバイスがｇＮＢに対応する。送信デバイスは、ＤＭＲＳ割当てインジケータ及びオプションで有効化インジケータを生成し、ＤＭＲＳ割当てインジケータを含む制御シグナリングを受信デバイス（すなわち、（ユーザ）端末）に送信する。受信デバイスは、ＤＭＲＳ割当てインジケータ（及び場合によっては有効化インジケータ）を受信し、更に、初期ＴＴＩにおけるデータを受信し、受信したＤＭＲＳ割当てインジケータ（及び場合によっては有効化インジケータ）によって示されるＤＭＲＳ割当てに従って、後続ＴＴＩにおけるＤＭＲＳを受信する。ここで、有効化インジケータ及び割当てインジケータは、アップリンクの場合について前述したインジケータのうちのいずれかのインジケータに対応してよい。
【００９５】
更に、本開示は、時間領域におけるフレキシビリティを可能にすることを対象とすることに留意されたい。キャリア又はサブキャリアへの、すなわち、ＯＦＤＭシステムの周波数領域におけるリソースへの、又は、空間リソース（ビーム）等の他のリソースへの、データ及びＤＭＲＳの割当ては、ＤＭＲＳ割当てによって影響されない。
【００９６】
しかしながら、本開示において説明されたような繰り返しにおけるフレキシビリティは、図１９〜図２１に示されているように、周波数ホッピング、ビームホッピング、及び小さい測定リソースのシナリオにおいても利用され得る。現在の繰り返しラウンドにおけるチャネル推定のために最後の利用可能な送信からのＤＭＲＳを利用するために、同じ位相が使用される。周波数ホッピングの場合、同じホップにおける最後の利用可能なＤＭＲＳからのチャネル推定を行うことができる。ビームホッピングの場合も同様に、同じビームにおける最後の利用可能なＤＭＲＳからのチャネル推定を行うことができる。
【００９７】
したがって、いくつかの実施形態において、図１９に示されているように、送受信機は、動作中、１つ以上の後続ＴＴＩの各後続ＴＴＩに割当てられたデータを、複数のＴＴＩのうち当該後続ＴＴＩの直前のＴＴＩにおいてデータが送信されたサブキャリアのセットとは異なるサブキャリアのセットにおいて、送信する。換言すれば、複数のＴＴＩのうちの２つのＴＴＩにおいて、データは、それぞれ異なるサブキャリアのセットに割当てられ、それぞれ異なるサブキャリアのセットにおいて送信される。サブキャリアのセットは、周波数領域におけるリソースブロックサイズに対応する１２サブキャリアに対応してもよいし、又は、上述した帯域幅部分に対応してもよい。したがって、周波数ホッピングは、ＤＭＲＳが割当てられる各後続ＴＴＩの前に行われ得る。しかしながら、周波数ホッピングが、複数のＴＴＩのうちの１つのＴＴＩからその次のＴＴＩへと行われる場合、周波数ホッピングステップ／動作後のＴＴＩにおけるデータは、複数のＴＴＩのうち、ホッピングステップ後のＴＴＩより前の１つのＴＴＩにおいてＤＭＲＳが送信されたサブキャリアのセットにおいて送信される。図１９では、２つのそれぞれの周波数グループ／セット間の周波数ホッピングが行われる。
【００９８】
上述した周波数ホッピングと同様に、いくつかの実施形態において、図２０に示されているように、送受信機は、動作中、１つ以上の後続ＴＴＩの各後続ＴＴＩに割当てられたデータを、複数のＴＴＩのうち当該後続ＴＴＩの直前のＴＴＩにおいてデータが送信されたビームとは異なるビームにおいて、送信する。すなわち、複数のＴＴＩのうちの２つのＴＴＩにおいて、データは、それぞれ異なるビームにおいて送信される。周波数ホッピングの場合と同様に、各ＴＴＩにおいて、データは、複数のＴＴＩのうちの別の１つのＴＴＩにおいてデータが以前に送信されたビームにおいて送信される。図２０に示されているビームホッピングの例では、２つの異なるビーム間のビームホッピングが行われる。
【００９９】
１つのＴＴＩからその次のＴＴＩへのビーム変更又は周波数変更は、準静的にシグナリングされてもよい。例えば、ＤＭＲＳ割当てインジケータに加えて、ＲＲＣシグナリングは、同様に、ビームホッピングパターンインジケータ又は周波数ホッピングパターンインジケータを含んでもよい。更に、ＤＣＩ又はＲＲＣは、ビームホッピングアクティベータ及び／又は周波数ホッピングインジケータを含んでもよい。代替的に、フレキシブルなＤＭＲＳ割当てが有効化される場合については、予め定められたホッピングパターンが、規格において定義されてもよい。
【０１００】
いくつかの更なる実施形態において、データが初期送信及び繰り返しにおいて送信されるように割当てられる複数のＴＴＩは、連続していない。すなわち、複数のＴＴＩのうちの２つのＴＴＩの間には、複数のＴＴＩのいずれにも含まれないシンボルが存在する。すなわち、複数のＴＴＩの各ＴＴＩに割当てられるデータとは異なる他のデータ及び／又は制御シグナリングが、複数のＴＴＩのうちの２つのＴＴＩの間のシンボルに割当てられることがある。一例が図２１に示されている。図２１において、スロット内に、初期ＰＵＳＣＨ送信及び３回のデータ繰り返しが存在し、ＤＭＲＳは、初期送信及び２回目の繰り返しに対応するＴＴＩに割当てられている。しかしながら、これらのＴＴＩの各々の間には、同じ一連の初期送信及び繰り返しに使用されないシンボルが存在する。更に、間に存在するこれらのシンボルは、アップリンク送信に使用されないシンボルである。
【０１０１】
更に、示されているほとんどの例では、初期送信は、スロットの最初のシンボルに割当てられたＤＭＲＳで始まる。しかしながら、特に、上述したＰＵＳＣＨマッピングタイプＢに従うと、本開示は、時間順でスロット内の最初のシンボルを含む初期ＴＴＩに限定されるものではない。代替的に、初期送信は、スロット内の最初のシンボル以外のシンボルで開始してもよい。
【０１０２】
本開示は、ソフトウェアによって、ハードウェアによって、又はハードウェアと協働するソフトウェアによって、実現可能である。上述した各実施形態の説明において使用されている各機能ブロックは、その一部又は全てを、集積回路等のＬＳＩによって実現可能であり、各実施形態において説明された各プロセスは、その一部又は全てを、同じＬＳＩ又はＬＳＩの組み合わせによって制御可能である。ＬＳＩは、チップとして個別に形成可能である、又は、機能ブロックの一部又は全てを含むように１つのチップを形成することができる。ＬＳＩは、自身に結合されたデータ入出力部を含むことができる。ＬＳＩは、集積度の違いに応じて、ＩＣ、システムＬＳＩ、スーパーＬＳＩ、又はウルトラＬＳＩと称されることがある。しかしながら、集積回路を実現する技術は、ＬＳＩに限定されるものではなく、専用回路、汎用プロセッサ、又は専用プロセッサを使用することによって実現可能である。更に、ＬＳＩの製造後にプログラムすることができるＦＰＧＡ（フィールドプログラマブルゲートアレイ）や、ＬＳＩ内部に配置されている回路セルの接続及び設定を再設定できるリコンフィギャラブル・プロセッサを使用することもできる。本開示は、デジタル処理又はアナログ処理として実現可能である。半導体技術又は別の派生技術の進歩の結果として、ＬＳＩが将来の集積回路技術に置き換わる場合、その将来の集積回路技術を使用して機能ブロックを集積化することができる。バイオテクノロジを適用することもできる。
【０１０３】
概括的な一態様に従うと、本開示は、通信システムにおいて受信デバイスにデータを送信する送信デバイスであって、動作中、初期送信時間間隔（ＴＴＩ）と前記初期ＴＴＩの後に続く１つ以上の後続ＴＴＩとを含む複数のＴＴＩに前記データを割当て、更に、前記初期ＴＴＩに復調用参照信号（ＤＭＲＳ）を割当て、前記１つ以上の後続ＴＴＩの各後続ＴＴＩについて、ＤＭＲＳが、前記データに加えて送信されるように、当該後続ＴＴＩに割当てられるか否かを示すＤＭＲＳ割当てを取得する回路であって、前記複数のＴＴＩは、それぞれ、スロットよりも少ない数のシンボルを含み、前記複数のＴＴＩの各ＴＴＩに割当てられる前記データは同一である、回路と、動作中、前記スロット内で、前記初期ＴＴＩに割当てられた前記データ及び前記ＤＭＲＳと前記１つ以上の後続ＴＴＩに割当てられた前記データとを前記受信デバイスに送信する送受信機であって、前記１つ以上の後続ＴＴＩにおけるＤＭＲＳ送信は、前記ＤＭＲＳ割当てに従って実行される、送受信機と、を備える送信デバイス、を提供する。
【０１０４】
これは、繰り返しのためのより優れたフレキシビリティを提供し、遅延低減及び／又は信頼性強化を可能にすることを容易にする。
【０１０５】
例えば、ＤＭＲＳは、前記１つ以上の後続ＴＴＩのうちの少なくとも１つの後続ＴＴＩにおいて送信されない。
【０１０６】
いくつかの実施形態において、前記ＤＭＲＳ割当ては、ＤＭＲＳが当該後続ＴＴＩに割当てられない場合、当該後続ＴＴＩの長さが、該ＤＭＲＳに対応する１シンボル分だけ低減されることを更に示す。
【０１０７】
これは、遅延を低減することを容易にする。
【０１０８】
他の実施形態において、前記ＤＭＲＳ割当ては、ＤＭＲＳが当該後続ＴＴＩに割当てられない場合、当該後続ＴＴＩにおける該ＤＭＲＳの割当てのためのシンボルが、前記データの割当てのためのシンボルで置換されることを更に示す。
【０１０９】
これは、信頼性を強化することを容易にする。
【０１１０】
更なる実施形態において、前記ＤＭＲＳ割当ては、ＤＭＲＳが当該後続ＴＴＩに割当てられない場合、当該後続ＴＴＩの長さが、該ＤＭＲＳに対応する１シンボル分だけ低減されること、又は、当該後続ＴＴＩにおける該ＤＭＲＳの割当てのためのシンボルが、前記データの割当てのためのシンボルで置換されること、のいずれかを更に示す。
【０１１１】
これは、遅延を低減し、信頼性を強化することを容易にする。
【０１１２】
例えば、当該後続ＴＴＩにおける該ＤＭＲＳの割当てのためのシンボルが、前記データの割当てのためのシンボルで置換される場合、前記データは、当該後続ＴＴＩにおいて、前記初期ＴＴＩにおいて前記データが送信される符号レートよりも低い符号レートで、送信される。
【０１１３】
例えば、前記送信デバイスは、アップリンク上で前記受信デバイスに前記データを送信し、前記送受信機は、動作中、更に、前記受信デバイスから、前記１つ以上の後続ＴＴＩの各後続ＴＴＩについて、前記ＤＭＲＳ割当てを示すＤＭＲＳ割当てインジケータを含む制御シグナリングを受信し、前記回路は、動作中、前記制御シグナリングを評価することによって、前記１つ以上の後続ＴＴＩの各後続ＴＴＩについての前記ＤＭＲＳ割当てを取得する。
【０１１４】
例えば、各後続ＴＴＩについての前記ＤＭＲＳ割当てインジケータは、２ビット割当てインジケータである。
【０１１５】
いくつかの実施形態において、前記ＤＭＲＳ割当てインジケータは、上位レイヤシグナリングに含まれる。
【０１１６】
例えば、前記制御シグナリングは、ＤＭＲＳが前記１つ以上の後続ＴＴＩのうちのいずれにも割当てられないかどうかを示す有効化インジケータを更に含む。
【０１１７】
いくつかの例示的な実施形態において、前記有効化インジケータは、上位レイヤシグナリングに含まれる。
【０１１８】
これは、追加の物理レイヤシグナリングオーバーヘッドを回避することをもたらす。
【０１１９】
他の例示的な実施形態において、前記有効化インジケータは、ダウンリンクチャネル情報（ＤＣＩ）に含まれる１ビットインジケータである。
【０１２０】
これは、フレキシブルなＤＭＲＳ割当ての動的切り替えを可能にする。
【０１２１】
いくつかの実施形態において、前記送信デバイスは、ダウンリンク上で前記受信デバイスに前記データを送信し、前記送受信機は、動作中、更に、前記１つ以上の後続ＴＴＩの各後続ＴＴＩについて、前記ＤＭＲＳ割当てを示すＤＭＲＳ割当てインジケータを含む制御シグナリングを前記受信デバイスに送信する。
【０１２２】
例えば、前記複数のＴＴＩのうちの２つのＴＴＩにおいて、前記データは、それぞれ異なるサブキャリアのセットに割当てられ、前記それぞれ異なるサブキャリアのセットにおいて送信される。
【０１２３】
例えば、前記複数のＴＴＩのうちの２つのＴＴＩにおいて、前記データは、それぞれ異なるビームにおいて送信される。
【０１２４】
いくつかの実施形態において、前記複数のＴＴＩのうちの２つのＴＴＩの間のあるシンボルは、前記複数のＴＴＩのうちのいずれにも含まれない。
【０１２５】
概括的な別の態様に従うと、通信システムにおいて送信デバイスからデータを受信する受信デバイスであって、動作中、初期送信時間間隔（ＴＴＩ）の後に続く１つ以上の後続ＴＴＩの各後続ＴＴＩについて、復調用参照信号（ＤＭＲＳ）が、前記データに加えて受信されるように、当該後続ＴＴＩに割当てられるか否かを示すＤＭＲＳ割当てを取得する回路であって、前記初期ＴＴＩ及び前記１つ以上の後続ＴＴＩを含む複数のＴＴＩは、それぞれ、スロットよりも少ない数のシンボルを含み、ＤＭＲＳが前記初期ＴＴＩに割当てられ、前記複数のＴＴＩの各ＴＴＩに割当てられる前記データは同一である、回路を備え、動作中、前記送信デバイスから、前記スロット内で、前記初期ＴＴＩに割当てられた前記データ及び前記ＤＭＲＳと前記１つ以上の後続ＴＴＩに割当てられた前記データとを受信する送受信機であって、前記１つ以上の後続ＴＴＩにおけるＤＭＲＳ受信は、前記ＤＭＲＳ割当てに従って実行される、送受信機を更に備える受信デバイス、が提供される。
【０１２６】
例えば、ＤＭＲＳは、前記１つ以上の後続ＴＴＩのうちの少なくとも１つの後続ＴＴＩにおいて送信されない。
【０１２７】
いくつかの実施形態において、前記ＤＭＲＳ割当ては、ＤＭＲＳが当該後続ＴＴＩに割当てられない場合、当該後続ＴＴＩの長さが、該ＤＭＲＳに対応する１シンボル分だけ低減されることを更に示す。
【０１２８】
他の実施形態において、前記ＤＭＲＳ割当ては、ＤＭＲＳが当該後続ＴＴＩに割当てられない場合、当該後続ＴＴＩにおける該ＤＭＲＳの割当てのためのシンボルが、前記データの割当てのためのシンボルで置換されることを更に示す。
【０１２９】
更なる実施形態において、前記ＤＭＲＳ割当ては、ＤＭＲＳが当該後続ＴＴＩに割当てられない場合、当該後続ＴＴＩの長さが、該ＤＭＲＳに対応する１シンボル分だけ低減されること、又は、当該後続ＴＴＩにおける該ＤＭＲＳの割当てのためのシンボルが、前記データの割当てのためのシンボルで置換されること、のいずれかを更に示す。
【０１３０】
例えば、当該後続ＴＴＩにおける該ＤＭＲＳの割当てのためのシンボルが、前記データの割当てのためのシンボルで置換される場合、前記データは、当該後続ＴＴＩにおいて、前記初期ＴＴＩにおいて前記データが送信される符号レートよりも低い符号レートで、送信される。
【０１３１】
例えば、前記受信デバイスは、アップリンク上で前記送信デバイスから前記データを受信し、更に、前記１つ以上の後続ＴＴＩの各後続ＴＴＩについて、前記ＤＭＲＳ割当てを示すＤＭＲＳ割当てインジケータを含む制御シグナリングを前記送信デバイスに送信する。
【０１３２】
例えば、各後続ＴＴＩについての前記ＤＭＲＳ割当てインジケータは、２ビット割当てインジケータである。
【０１３３】
いくつかの実施形態において、前記ＤＭＲＳ割当てインジケータは、上位レイヤシグナリングに含まれる。
【０１３４】
例えば、前記制御シグナリングは、ＤＭＲＳが前記１つ以上の後続ＴＴＩのうちのいずれにも割当てられないかどうかを示す有効化インジケータを更に含む。
【０１３５】
いくつかの例示的な実施形態において、前記有効化インジケータは、上位レイヤシグナリングに含まれる。
【０１３６】
他の例示的な実施形態において、前記有効化インジケータは、ダウンリンクチャネル情報（ＤＣＩ）に含まれる１ビットインジケータである。
【０１３７】
いくつかの実施形態において、前記受信デバイスは、ダウンリンク上で前記送信デバイスから前記データを受信し、前記送受信機は、動作中、更に、前記送信デバイスから、前記１つ以上の後続ＴＴＩの各後続ＴＴＩについて、前記ＤＭＲＳ割当てを示すＤＭＲＳ割当てインジケータを含む制御シグナリングを受信し、前記回路は、動作中、前記制御シグナリングを評価することによって、前記１つ以上の後続ＴＴＩの各後続ＴＴＩについての前記ＤＭＲＳ割当てを取得する。
【０１３８】
例えば、前記複数のＴＴＩのうちの２つのＴＴＩにおいて、前記データは、それぞれ異なるサブキャリアのセットに割当てられ、前記それぞれ異なるサブキャリアのセットにおいて受信される。
【０１３９】
例えば、前記複数のＴＴＩのうちの２つのＴＴＩにおいて、前記データは、それぞれ異なるビームにおいて受信される。
【０１４０】
いくつかの実施形態において、前記複数のＴＴＩのうちの２つのＴＴＩの間のあるシンボルは、前記複数のＴＴＩのうちのいずれにも含まれない。
【０１４１】
概括的な別の態様において、本開示は、通信システムにおいて受信デバイスにデータを送信する送信デバイスについての送信方法であって、初期送信時間間隔（ＴＴＩ）の後に続く１つ以上の後続ＴＴＩの各後続ＴＴＩについて、復調用参照信号（ＤＭＲＳ）が、前記データに加えて送信されるように、当該後続ＴＴＩに割当てられるか否かを示すＤＭＲＳ割当てを取得することであって、前記初期ＴＴＩ及び前記１つ以上の後続ＴＴＩを含む複数のＴＴＩは、それぞれ、スロットよりも少ない数のシンボルを含む、取得することと、前記複数のＴＴＩの各ＴＴＩに同一の前記データを割当て、前記初期ＴＴＩにＤＭＲＳを割当てることと、前記スロット内で、前記初期ＴＴＩに割当てられた前記データ及び前記ＤＭＲＳと前記１つ以上の後続ＴＴＩに割当てられた前記データとを前記受信デバイスに送信することであって、前記１つ以上の後続ＴＴＩにおけるＤＭＲＳ送信は、前記ＤＭＲＳ割当てに従って実行される、送信することと、を含む送信方法、を提供する。
【０１４２】
例えば、ＤＭＲＳは、前記１つ以上の後続ＴＴＩのうちの少なくとも１つの後続ＴＴＩにおいて送信されない。
【０１４３】
いくつかの実施形態において、前記ＤＭＲＳ割当ては、ＤＭＲＳが当該後続ＴＴＩに割当てられない場合、当該後続ＴＴＩの長さが、該ＤＭＲＳに対応する１シンボル分だけ低減されることを更に示す。
【０１４４】
他の実施形態において、前記ＤＭＲＳ割当ては、ＤＭＲＳが当該後続ＴＴＩに割当てられない場合、当該後続ＴＴＩにおける該ＤＭＲＳの割当てのためのシンボルが、前記データの割当てのためのシンボルで置換されることを更に示す。
【０１４５】
更なる実施形態において、前記ＤＭＲＳ割当ては、ＤＭＲＳが当該後続ＴＴＩに割当てられない場合、当該後続ＴＴＩの長さが、該ＤＭＲＳに対応する１シンボル分だけ低減されること、又は、当該後続ＴＴＩにおける該ＤＭＲＳの割当てのためのシンボルが、前記データの割当てのためのシンボルで置換されること、のいずれかを更に示す。
【０１４６】
例えば、当該後続ＴＴＩにおける該ＤＭＲＳの割当てのためのシンボルが、前記データの割当てのためのシンボルで置換される場合、前記データは、当該後続ＴＴＩにおいて、前記初期ＴＴＩにおいて前記データが送信される符号レートよりも低い符号レートで、送信される。
【０１４７】
例えば、前記データは、アップリンク上で前記受信デバイスに送信され、前記送信方法は、前記受信デバイスから、前記１つ以上の後続ＴＴＩの各後続ＴＴＩについて、前記ＤＭＲＳ割当てを示すＤＭＲＳ割当てインジケータを含む制御シグナリングを受信することを更に含み、前記取得することのステップにおいて、前記ＤＭＲＳ割当ては、前記制御シグナリングを評価することによって、前記１つ以上の後続ＴＴＩの各後続ＴＴＩについて取得される。
【０１４８】
例えば、各後続ＴＴＩについての前記ＤＭＲＳ割当てインジケータは、２ビット割当てインジケータである。
【０１４９】
いくつかの実施形態において、前記ＤＭＲＳ割当てインジケータは、上位レイヤシグナリングに含まれる。
【０１５０】
例えば、前記制御シグナリングは、ＤＭＲＳが前記１つ以上の後続ＴＴＩのうちのいずれにも割当てられないかどうかを示す有効化インジケータを更に含む。
【０１５１】
いくつかの例示的な実施形態において、前記有効化インジケータは、上位レイヤシグナリングに含まれる。
【０１５２】
他の例示的な実施形態において、前記有効化インジケータは、ダウンリンクチャネル情報（ＤＣＩ）に含まれる１ビットインジケータである。
【０１５３】
いくつかの実施形態において、前記データは、ダウンリンク上で前記受信デバイスに送信され、前記送信方法は、前記１つ以上の後続ＴＴＩの各後続ＴＴＩについて、前記ＤＭＲＳ割当てを示すＤＭＲＳ割当てインジケータを含む制御シグナリングを前記受信デバイスに送信することを更に含む。
【０１５４】
例えば、前記複数のＴＴＩのうちの２つのＴＴＩにおいて、前記データは、それぞれ異なるサブキャリアのセットに割当てられ、前記それぞれ異なるサブキャリアのセットにおいて送信される。
【０１５５】
例えば、前記複数のＴＴＩのうちの２つのＴＴＩにおいて、前記データは、それぞれ異なるビームにおいて送信される。
【０１５６】
いくつかの実施形態において、前記複数のＴＴＩのうちの２つのＴＴＩの間のあるシンボルは、前記複数のＴＴＩのうちのいずれにも含まれない。
【０１５７】
概括的な別の態様に従うと、本開示は、通信システムにおいて送信デバイスからデータを受信する受信デバイスについての受信方法であって、初期送信時間間隔（ＴＴＩ）の後に続く１つ以上の後続ＴＴＩの各後続ＴＴＩについて、復調用参照信号（ＤＭＲＳ）が、前記データに加えて受信されるように、当該後続ＴＴＩに割当てられるか否かを示すＤＭＲＳ割当てを取得することであって、前記初期ＴＴＩ及び前記１つ以上の後続ＴＴＩを含む複数のＴＴＩは、それぞれ、スロットよりも少ない数のシンボルを含み、ＤＭＲＳが前記初期ＴＴＩに割当てられ、前記複数のＴＴＩの各ＴＴＩに割当てられる前記データは同一である、取得することと、前記送信デバイスから、前記スロット内で、前記初期ＴＴＩに割当てられた前記データ及び前記ＤＭＲＳと前記１つ以上の後続ＴＴＩに割当てられた前記データとを受信することであって、前記１つ以上の後続ＴＴＩにおけるＤＭＲＳ受信は、前記ＤＭＲＳ割当てに従って実行される、受信することと、を含む受信方法、を提供する。
【０１５８】
例えば、ＤＭＲＳは、前記１つ以上の後続ＴＴＩのうちの少なくとも１つの後続ＴＴＩにおいて送信されない。
【０１５９】
いくつかの実施形態において、前記ＤＭＲＳ割当ては、ＤＭＲＳが当該後続ＴＴＩに割当てられない場合、当該後続ＴＴＩの長さが、該ＤＭＲＳに対応する１シンボル分だけ低減されることを更に示す。
【０１６０】
他の実施形態において、前記ＤＭＲＳ割当ては、ＤＭＲＳが当該後続ＴＴＩに割当てられない場合、当該後続ＴＴＩにおける該ＤＭＲＳの割当てのためのシンボルが、前記データの割当てのためのシンボルで置換されることを更に示す。
【０１６１】
更なる実施形態において、前記ＤＭＲＳ割当ては、ＤＭＲＳが当該後続ＴＴＩに割当てられない場合、当該後続ＴＴＩの長さが、該ＤＭＲＳに対応する１シンボル分だけ低減されること、又は、当該後続ＴＴＩにおける該ＤＭＲＳの割当てのためのシンボルが、前記データの割当てのためのシンボルで置換されること、のいずれかを更に示す。
【０１６２】
例えば、当該後続ＴＴＩにおける該ＤＭＲＳの割当てのためのシンボルが、前記データの割当てのためのシンボルで置換される場合、前記データは、当該後続ＴＴＩにおいて、前記初期ＴＴＩにおいて前記データが送信される符号レートよりも低い符号レートで、送信される。
【０１６３】
例えば、前記データは、アップリンク上で前記送信デバイスから受信され、前記受信方法は、前記１つ以上の後続ＴＴＩの各後続ＴＴＩについて、前記ＤＭＲＳ割当てを示すＤＭＲＳ割当てインジケータを含む制御シグナリングを前記送信デバイスに送信することを更に含む。
【０１６４】
例えば、各後続ＴＴＩについての前記ＤＭＲＳ割当てインジケータは、２ビット割当てインジケータである。
【０１６５】
いくつかの実施形態において、前記ＤＭＲＳ割当てインジケータは、上位レイヤシグナリングに含まれる。
【０１６６】
例えば、前記制御シグナリングは、ＤＭＲＳが前記１つ以上の後続ＴＴＩのうちのいずれにも割当てられないかどうかを示す有効化インジケータを更に含む。
【０１６７】
いくつかの例示的な実施形態において、前記有効化インジケータは、上位レイヤシグナリングに含まれる。
【０１６８】
他の例示的な実施形態において、前記有効化インジケータは、ダウンリンクチャネル情報（ＤＣＩ）に含まれる１ビットインジケータである。
【０１６９】
いくつかの実施形態において、前記データは、ダウンリンク上で前記送信デバイスから受信され、前記受信方法は、前記送信デバイスから、前記１つ以上の後続ＴＴＩの各後続ＴＴＩについて、前記ＤＭＲＳ割当てを示すＤＭＲＳ割当てインジケータを含む制御シグナリングを受信することを更に含み、前記取得することのステップにおいて、前記１つ以上の後続ＴＴＩの各後続ＴＴＩについての前記ＤＭＲＳ割当ては、前記制御シグナリングを評価することによって取得される。
【０１７０】
例えば、前記複数のＴＴＩのうちの２つのＴＴＩにおいて、前記データは、それぞれ異なるサブキャリアのセットに割当てられ、前記それぞれ異なるサブキャリアのセットにおいて受信される。
【０１７１】
例えば、前記複数のＴＴＩのうちの２つのＴＴＩにおいて、前記データは、それぞれ異なるビームにおいて受信される。
【０１７２】
いくつかの実施形態において、前記複数のＴＴＩのうちの２つのＴＴＩの間のあるシンボルは、前記複数のＴＴＩのうちのいずれにも含まれない。
【０１７３】
まとめると、本開示は、通信システムにおいて受信デバイスにデータを送信する送信デバイスに関する。送信デバイスは、動作中、初期送信時間間隔（ＴＴＩ）と初期ＴＴＩの後に続く１つ以上の後続ＴＴＩとを含む複数のＴＴＩにデータを割当て、更に、初期ＴＴＩに復調用参照信号（ＤＭＲＳ）を割当て、１つ以上の後続ＴＴＩの各後続ＴＴＩについて、ＤＭＲＳが、データに加えて送信されるように、当該後続ＴＴＩに割当てられるか否かを示すＤＭＲＳ割当てを取得する回路を備える。複数のＴＴＩは、それぞれ、スロットよりも少ない数のシンボルを含み、複数のＴＴＩの各ＴＴＩに割当てられるデータは同一である。送信デバイスは、動作中、スロット内で、データを送信するとともに、ＤＭＲＳ割当てに従ってＤＭＲＳを送信する送受信機を更に備える。
【図１】
2021533590.tif 000003
【図２】
2021533590.tif 000004
【図３】
2021533590.tif 000005
【図４】
2021533590.tif 000006
【図５】
2021533590.tif 000007
【図６】
2021533590.tif 000008
【図７】
2021533590.tif 000009
【図８】
2021533590.tif 000010
【図９】
2021533590.tif 000011
【図１０】
2021533590.tif 000012
【図１１】
2021533590.tif 000013
【図１２】
2021533590.tif 000014
【図１３】
2021533590.tif 000015
【図１４】
2021533590.tif 000016
【図１５】
2021533590.tif 000017
【図１６】
2021533590.tif 000018
【図１７】
2021533590.tif 000019
【図１８】
2021533590.tif 000020
【図１９】
2021533590.tif 000021
【図２０】
2021533590.tif 000022
【図２１】
2021533590.tif 000023
【国際調査報告】
2021533590.tif 000024
2021533590.tif 000025
2021533590.tif 000026